(57)【要約】【課題】Ｌポケット付きボトムズにおいて見栄え・美観を損なわずにＬポケットの前中心側に延出部と収容部の境界線を位置させてウエストサイズを伸縮自在とすること。【解決手段】Ｌポケット付きボトムズとしての綿パン１は、前身頃４のベルト部３の近傍に左右１対のＬポケット２を有しており、Ｌポケット２の外縁２Ａに伸縮性を持たせることによって、ベルト部３に引っ張り力が掛かっていない場合には、Ｌポケット２の外縁２Ａの上部が収容部３Ａの縁と一致しており、ベルト部３に引っ張り力が掛かってウエスト周りが伸びると、Ｌポケット２の外縁２Ａの上部も延出部３Ｂと一体に移動して、Ｌポケット２の周囲にシワ等を生ずることなくＬポケット２の外縁２Ａが滑らかに変形して、見栄え・美観を損なうことがない。【選択図】図１
2008174844.tif 000002
【特許請求の範囲】
【請求項１】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記Ｌポケットの外縁に沿って前記Ｌポケットの袋布を縫付ける際に前記外縁上部を前記ベルト部とほぼ垂直になるように立てるとともに前記外縁中央部を長さ方向に縮めた状態で裏側から圧縮してプレスした後、その上から伸縮性を有する生地を前記外縁の裏側に沿って帯状に縫付け、若しくは貼り付けたことを特徴とするＬポケット付きボトムズ。
【請求項２】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記Ｌポケットの外縁に沿って前記Ｌポケットの袋布を縫付ける際に前記外縁上部を前記ベルト部とほぼ垂直になるように立てるとともに前記外縁中央部に１以上の切欠きを入れて前記切欠きを縮めた状態で上から伸縮性を有する生地を前記外縁の裏側に沿って帯状に縫付け、若しくは貼り付けたことを特徴とするＬポケット付きボトムズ。
【請求項３】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記Ｌポケットの外縁を前記ベルト部に接する上部から下部にいくに従って前記前中心方向に突出するように湾曲した形状としたことを特徴とするＬポケット付きボトムズ。
【請求項４】
前記Ｌポケットの袋布の前記Ｌポケット付きボトムズの前中心側の端の折り返し部分の上部を分割して、その分割部分に沿ってスラッシュ始末したことを特徴とする請求項１乃至請求項３のいずれか１つに記載のＬポケット付きボトムズ。
【請求項５】
前記Ｌポケットの袋布の前記Ｌポケット付きボトムズの前中心側の端の折り返し部分の上部を分割して、その分割部分に沿ってパイピングを施したことを特徴とする請求項１乃至請求項３のいずれか１つに記載のＬポケット付きボトムズ。
【請求項６】
前記Ｌポケットの袋布の前記Ｌポケット付きボトムズの前中心側の端の接ぎ合わせ部分の上部を接ぎ合わせずに離れた状態で残したことを特徴とする請求項１乃至請求項３のいずれか１つに記載のＬポケット付きボトムズ。
【請求項７】
前記Ｌポケットの袋布の前記Ｌポケット付きボトムズの前中心側の端の折り返し部分の上部にタックを形成したことを特徴とする請求項１乃至請求項３のいずれか１つに記載のＬポケット付きボトムズ。
【請求項８】
前記タックの襞の幅は前記ウエスト周り伸縮自在構造により伸縮する分より大きいことを特徴とする請求項７に記載のＬポケット付きボトムズ。
【請求項９】
前記ウエスト周り伸縮自在構造により前記Ｌポケットの袋布が移動して捩れる分だけ前記Ｌポケット付きボトムズの前中心側の端において前記Ｌポケットの袋布の縁をカットして前記Ｌポケット付きボトムズの表地と縫い合わせたことを特徴とする請求項１乃至請求項３のいずれか１つに記載のＬポケット付きボトムズ。
【請求項１０】
前記ウエスト周り伸縮自在構造により前記Ｌポケットの袋布が移動して捩れる分だけ前記Ｌポケットの袋布の周囲の縁を予めずらして裁断して前記Ｌポケット付きボトムズの表地と縫い合わせたことを特徴とする請求項１乃至請求項３のいずれか１つに記載のＬポケット付きボトムズ。
【請求項１１】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記Ｌポケットの袋布の前記Ｌポケット付きボトムズの前中心側の端の折り返し部分の上部を分割して、その分割部分に沿ってスラッシュ始末したことを特徴とするＬポケット付きボトムズ。
【請求項１２】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記Ｌポケットの袋布の前記Ｌポケット付きボトムズの前中心側の端の折り返し部分の上部を分割して、その分割部分に沿ってパイピングを施したことを特徴とするＬポケット付きボトムズ。
【請求項１３】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記Ｌポケットの袋布の前記Ｌポケット付きボトムズの前中心側の端の接ぎ合わせ部分の上部を接ぎ合わせずに離れた状態で残したことを特徴とするＬポケット付きボトムズ。
【請求項１４】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記Ｌポケットの袋布の前記Ｌポケット付きボトムズの前中心側の端の折り返し部分の上部にタックを形成したことを特徴とするＬポケット付きボトムズ。
【請求項１５】
前記タックの襞の幅は前記ウエスト周り伸縮自在構造により伸縮する分より大きいことを特徴とする請求項１４に記載のＬポケット付きボトムズ。
【請求項１６】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記ウエスト周り伸縮自在構造により前記Ｌポケットの袋布が移動して捩れる分だけ前記Ｌポケット付きボトムズの前中心側の端において前記Ｌポケットの袋布の縁をカットして前記Ｌポケット付きボトムズの表地と縫い合わせたことを特徴とするＬポケット付きボトムズ。
【請求項１７】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、
前記ウエスト周り伸縮自在構造により前記Ｌポケットの袋布が移動して捩れる分だけ前記Ｌポケットの袋布の周囲の縁を予めずらして裁断して前記Ｌポケット付きボトムズの表地と縫い合わせたことを特徴とするＬポケット付きボトムズ。
【請求項１８】
前記Ｌポケットの袋布の生地の折り返し線で区分される一方を０．１ｃｍ〜０．５ｃｍの範囲内で斜めにずれるように裁断して縫い合わせたことを特徴とする請求項１７に記載のＬポケット付きボトムズ。
【請求項１９】
前記Ｌポケットの袋布の生地の折り返し線で区分される一方を０．１ｃｍ〜０．５ｃｍの範囲内で斜めに大きくなるように裁断して縫い合わせたことを特徴とする請求項１７に記載のＬポケット付きボトムズ。
【請求項２０】
前記収容部の縁を覆うようにかつ前記延出部の移動を妨げないように前記ベルト部にベルト通しを縫付けたことを特徴とする請求項１乃至請求項１９のいずれか１つに記載のＬポケット付きボトムズ。
【請求項２１】
前記主弾性材には、その最大伸びを制限する伸び止め材を並設したことを特徴とする請求項１乃至請求項２０のいずれか１つに記載のＬポケット付きボトムズ。
【請求項２２】
前記延出部の裏側の折り返し部分が斜めにカットされて、ウエストベルト周辺が全く伸びていない状態において前記折り返し部分の斜めの部分の下端が前記最大伸びの長さよりも深く前記収容部の中に入れられたことを特徴とする請求項２１に記載のＬポケット付きボトムズ。
【請求項２３】
前記延出部の裏側の折り返し部分が斜めにカットされて、前記折り返し部分の内側に伸縮性を有する生地からなる押え布の下辺が、前記収容部の裏側の折り返し部分の内側に前記押え布の上辺が縫付けられたことを特徴とする請求項２１に記載のＬポケット付きボトムズ。
【請求項２４】
前記延出部の裏側の折り返し部分が斜めにカットされて、前記折り返し部分の上端と前記収容部の裏側の折り返し部分の下端とが伸縮性を有しない生地からなるストッパーテープで接続されたことを特徴とする請求項２１に記載のＬポケット付きボトムズ。
【請求項２５】
前記伸び止め材は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたことを特徴とする請求項２１に記載のＬポケット付きボトムズ。
【請求項２６】
前記主弾性材には、その最大伸びを制限する伸び止め材の役割をするストッパー部分を並設し、前記ストッパー部分は前記延出部と一体としたことを特徴とする請求項１乃至請求項２０のいずれか１つに記載のＬポケット付きボトムズ。
【請求項２７】
前記ストッパー部分は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたことを特徴とする請求項２６に記載のＬポケット付きボトムズ。
【請求項２８】
前記収容部の開口近傍の内面に裏地を縫付けたことを特徴とする請求項１乃至請求項２７のいずれか１つに記載のＬポケット付きボトムズ。
【発明の詳細な説明】
【技術分野】
【０００１】
本発明は、ポケットによる重ね合せ部またはタック（ボックスタックを含む）による重ね合せ部を備えたウエスト部を有する被服、即ち、パンツ（ズボン）やスカート、キュロットスカート等（以下、「ボトムズ（bottoms，「ボトムス」とも）」という）のウエストサイズを伸縮自在としたボトムズに関するものであリ、特にジーンズ（Ｇパン）、綿パン、チノパン等の前面脇部にＬポケットを有するカジュアルなボトムズに関するものである。
【背景技術】
【０００２】
一般に、パンツ等のボトムズの既製品のベルト部のサイズは、例えば、６９ｃｍ、７２ｃｍ、７５ｃｍといったように所定間隔で設定されており、購入者は、自己のベルトサイズに近いものを選択して購入し、自己のベルトサイズに修正したり、革ベルト等によって矯正したりして着用している。しかしながら、ベルトサイズを修正する場合には、修正作業が必要であり、手間及び費用を要する。また、革ベルト等によって矯正する場合には、パンツ等のベルト部にシワが生じてテザイン的に好ましくなく、また、着用した際の快適性も劣るという問題がある。
【０００３】
そこで、これを解決したものとして、本発明者の発明に係る特許文献１及び特許文献２に記載された特許発明等の技術が公知である。即ち、パンツ等のベルト部の横側、前側の一部にゴム等の弾性材を介在させ、この弾性材によってベルトサイズを伸縮させることができるようにしたものである。更に、本発明者は、これらの特許発明を改良して、伸縮自在にするために形成されている隙間を広げたときでもその見栄えを良くすると共に、滑らかな伸縮が可能な被服のウエストサイズ伸縮自在構造についての発明をし、この発明について特許出願をしている（特許文献３）。
【０００４】
この特許文献３に記載の技術においては、主弾性材の弾性力により収容部に挿入された延出部が収容部裏地のみと摺接するためその接触抵抗が少なくなり、延出部と収容部との滑らかな動きが可能となるとともに、収容部の表側及び裏側から見た収容部の内側には収容部裏地が取付けられているので、ウエスト部の芯材が見えたりして商品イメージを低下させることがない。
【特許文献１】特許第２５７８０７９号公報
【特許文献２】特許第２５１８８０４号公報
【特許文献３】特開２００１−２２６８０４号公報
【発明の開示】
【発明が解決しようとする課題】
【０００５】
これらの発明においては、いずれも実施の形態としてフォーマルなズボンの脇ポケットの部分に延出部と収容部の境界線を持ってきた場合が示されているが、脇ポケットとしてＬポケットが前面に取付けられているジーンズ（Ｇパン）、綿パンを始めとするカジュアルなパンツの場合には、図３７（ａ）に示されるようにＬポケット５２の前中心ＦＣよりの側に延出部５３Ｂと収容部５３Ａの境界線を位置させると、図３７（ｂ）に示されるようにベルトサイズが伸びた場合に、Ｌポケット５２の形状が崩れてＬポケット５２の周辺にシワ５５が生じてしまい、見栄えを損なうという問題がある。
【０００６】
また、逆にベルトサイズが伸びた場合にＬポケットの形状が美しく保たれるように、図３８（ａ）に示されるようにＬポケット５７のライン（外縁）５７Ａに余裕を持たせておくと、図３８（ｂ）に示されるようにベルトサイズが縮んだ場合にＬポケット５７のライン５７Ａに遊び５９が生じて、やはり美観を損なうという問題点があった。このような問題点は、図３９（ａ），（ｂ）に示されるようなＬポケットの変形でありＳ字形のライン（外縁）５３Ｃ，５８Ｃを有する所謂Ｓ字ポケット５３Ｄ，５８Ｄを備えたボトムズにおいても、同様であった。
【０００７】
なお、図３７は従来のボトムズにおいて、Ｌポケットの前中心よりの側に延出部と収容部の境界線を位置させた場合の問題点を示す説明図である。また、図３８も従来のボトムズにおいて、Ｌポケットの前中心よりの側に延出部と収容部の境界線を位置させた場合の問題点を示す説明図である。更に、図３９はＬポケットの一種でありＳ字形のラインを有するポケットを示す説明図である。
【０００８】
本明細書及び特許請求の範囲においては、図３９に示されるようなＳ字形のラインを有する、一般にＳ字ポケットと称されるものも、Ｌポケットの一種であるため、「Ｌポケット」に含まれるものとし、「Ｌポケット付きボトムズ」にはＳ字ポケットを有するボトムズも含まれるものとする。
【０００９】
そこで、本発明は、見栄え・美観を損なうことなく、Ｌポケットの前中心よりの側に延出部と収容部の境界線を位置させてウエストサイズを伸縮自在とすることができるＬポケット付きボトムズの提供を課題とするものである。
【課題を解決するための手段】
【００１０】
請求項１の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記Ｌポケットの外縁に沿って前記Ｌポケットの袋布を縫付ける際に前記外縁上部を前記ベルト部とほぼ垂直になるように立てるとともに前記外縁中央部を長さ方向に縮めた状態で裏側から圧縮してプレスした後、その上から伸縮性を有する生地を前記外縁の裏側に沿って帯状に縫付け、若しくは貼り付けたものである。
【００１１】
ここで、「伸縮性を有する生地」としては、パワーネット、スパンレックス、トリコット、ニット生地、ポリウレタンが１％から３０％混入されたポリウレタン混合生地、綿ストレッチ、ストレッチレース、バイアステープ（裏地、トリコット、等）、ゴムテープ、ストレッチサテン、等がある。
【００１２】
請求項２の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記Ｌポケットの外縁に沿って前記Ｌポケットの袋布を縫付ける際に前記外縁上部を前記ベルト部とほぼ垂直になるように立てるとともに前記外縁中央部に１以上の切欠きを入れて前記切欠きを縮めた状態で上から伸縮性を有する生地を前記外縁の裏側に沿って帯状に縫付け、若しくは貼り付けたものである。
【００１３】
請求項３の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記Ｌポケットの外縁を前記ベルト部に接する上部から下部にいくに従って前記前中心方向に突出するように湾曲した形状としたものである。
【００１４】
請求項４の発明に係るＬポケット付きボトムズは、請求項１乃至請求項３のいずれか１つの構成において、前記Ｌポケットの袋布の前記Ｌポケット付きボトムズの前中心側の端の折り返し部分の上部を分割して、その分割部分に沿ってスラッシュ始末したものである。
【００１５】
請求項５の発明に係るＬポケット付きボトムズは、請求項１乃至請求項３のいずれか１つの構成において、前記Ｌポケットの袋布の前記Ｌポケット付きボトムズの前中心側の端の折り返し部分の上部を分割して、その分割部分に沿ってパイピングを施したものである。
【００１６】
請求項６の発明に係るＬポケット付きボトムズは、請求項１乃至請求項３のいずれか１つの構成において、前記Ｌポケットの袋布の前記Ｌポケット付きボトムズの前中心側の端の接ぎ合わせ部分の上部を接ぎ合わせずに離れた状態で残したものである。
【００１７】
請求項７の発明に係るＬポケット付きボトムズは、請求項１乃至請求項３のいずれか１つの構成において、前記Ｌポケットの袋布の前記Ｌポケット付きボトムズの前中心側の端の折り返し部分の上部にタックを形成したものである。
【００１８】
請求項８の発明に係るＬポケット付きボトムズは、請求項７の構成において、前記タックの襞の幅は前記ウエスト周り伸縮自在構造により伸縮する分より大きいものである。
【００１９】
請求項９の発明に係るＬポケット付きボトムズは、請求項１乃至請求項３のいずれか１つの構成において、前記ウエスト周り伸縮自在構造により前記Ｌポケットの袋布が移動して捩れる分だけ前記Ｌポケット付きボトムズの前中心側の端において前記Ｌポケットの袋布の縁をカットして前記Ｌポケット付きボトムズの表地と縫い合わせたものである。
【００２０】
請求項１０の発明に係るＬポケット付きボトムズは、請求項１乃至請求項３のいずれか１つの構成において、前記ウエスト周り伸縮自在構造により前記Ｌポケットの袋布が移動して捩れる分だけ前記Ｌポケットの袋布の周囲の縁を予めずらして裁断して前記Ｌポケット付きボトムズの表地と縫い合わせたものである。
【００２１】
請求項１１の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記Ｌポケットの袋布の前記Ｌポケット付きボトムズの前中心側の端の折り返し部分の上部を分割して、その分割部分に沿ってスラッシュ始末したものである。
【００２２】
請求項１２の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記Ｌポケットの袋布の前記Ｌポケット付きボトムズの前中心側の端の折り返し部分の上部を分割して、その分割部分に沿ってパイピングを施したものである。
【００２３】
請求項１３の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記Ｌポケットの袋布の前記Ｌポケット付きボトムズの前中心側の端の接ぎ合わせ部分の上部を接ぎ合わせずに離れた状態で残したものである。
【００２４】
請求項１４の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記Ｌポケットの袋布の前記Ｌポケット付きボトムズの前中心側の端の折り返し部分の上部にタックを形成したものである。
【００２５】
請求項１５の発明に係るＬポケット付きボトムズは、請求項１４の構成において、前記タックの襞の幅は前記ウエスト周り伸縮自在構造により伸縮する分より大きいものである。
【００２６】
請求項１６の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記ウエスト周り伸縮自在構造により前記Ｌポケットの袋布が移動して捩れる分だけ前記Ｌポケット付きボトムズの前中心側の端において前記Ｌポケットの袋布の縁をカットして前記Ｌポケット付きボトムズの表地と縫い合わせたものである。
【００２７】
請求項１７の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置し、前記ベルト部と交差し、前記ベルト部と縫着しない被服地の重ね合せ部と、前記重ね合せ部の一方の布地側に設けられ、一端が延出する前記芯材を有するベルト部に形成された延出部と、前記重ね合せ部の他方の布地側に形成され、前記延出部を意匠面側から隠れるように収容する収容部と、前記延出部と前記収容部との間に両端が接続された主弾性材と、前記収容部の内面に固着された芯材とを具備し、前記ウエスト周り伸縮自在構造により前記Ｌポケットの袋布が移動して捩れる分だけ前記Ｌポケットの袋布の周囲の縁を予めずらして裁断して前記Ｌポケット付きボトムズの表地と縫い合わせたものである。
【００２８】
請求項１８の発明に係るＬポケット付きボトムズは、請求項１７の構成において、前記Ｌポケットの袋布の生地の折り返し線で区分される一方を０．１ｃｍ〜０．５ｃｍの範囲内で斜めにずれるように裁断して縫い合わせたものである。
【００２９】
請求項１９の発明に係るＬポケット付きボトムズは、請求項１７の構成において、前記Ｌポケットの袋布の生地の折り返し線で区分される一方を０．１ｃｍ〜０．５ｃｍの範囲内で斜めに大きくなるように裁断して縫い合わせたものである。
【００３０】
請求項２０の発明に係るＬポケット付きボトムズは、請求項１乃至請求項１９のいずれか１つの構成において、前記収容部の縁を覆うようにかつ前記延出部の移動を妨げないように前記ベルト部にベルト通しを縫付けたものである。
【００３１】
請求項２１の発明に係るＬポケット付きボトムズは、請求項１乃至請求項２０のいずれか１つの構成において、前記主弾性材には、その最大伸びを制限する伸び止め材を並設したものである。
【００３２】
請求項２２の発明に係るＬポケット付きボトムズは、請求項２１の構成において、前記延出部の裏側の折り返し部分が斜めにカットされて、ウエストベルト周辺が全く伸びていない状態において前記折り返し部分の斜めの部分の下端が前記最大伸びの長さよりも深く前記収容部の中に入れられたものである。
【００３３】
請求項２３の発明に係るＬポケット付きボトムズは、請求項２１の構成において、前記延出部の裏側の折り返し部分が斜めにカットされて、前記折り返し部分の内側に伸縮性を有する生地からなる押え布の下辺が、前記収容部の裏側の折り返し部分の内側に前記押え布の上辺が縫付けられたものである。ここで、「伸縮性を有する生地」としては、パワーネット、スパンレックス、トリコット、ニット生地、ポリウレタンが１％から３０％混入されたポリウレタン混合生地、綿ストレッチ、ストレッチレース、バイアステープ（裏地、トリコット、等）、ゴムテープ、ストレッチサテン、等がある。
【００３４】
請求項２４の発明に係るＬポケット付きボトムズは、請求項２１の構成において、前記延出部の裏側の折り返し部分が斜めにカットされて、前記折り返し部分の上端と前記収容部の裏側の折り返し部分の下端とが伸縮性を有しない生地からなるストッパーテープで接続されたものである。ここで、「伸縮性を有しない生地」としては、綿テープ、サテンテープ、リボンテープ、等を用いることができる。
【００３５】
請求項２５の発明に係るＬポケット付きボトムズは、請求項２１の構成において、前記伸び止め材は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたものである。
【００３６】
請求項２６の発明に係るＬポケット付きボトムズは、請求項１乃至請求項２０のいずれか１つの構成において、前記主弾性材には、その最大伸びを制限する伸び止め材の役割をするストッパー部分を並設し、前記ストッパー部分は前記延出部と一体としたものである。
【００３７】
請求項２７の発明に係るＬポケット付きボトムズは、請求項２６の構成において、前記ストッパー部分は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたものである。
【００３８】
請求項２８の発明に係るＬポケット付きボトムズは、請求項１乃至請求項２７のいずれか１つの構成において、前記収容部の開口近傍の内面に裏地を縫付けたものである。
【発明の効果】
【００３９】
請求項１の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、Ｌポケットの外縁に沿ってＬポケットの袋布を縫付ける際に外縁上部をベルト部とほぼ垂直になるように立てるとともに外縁中央部を長さ方向に縮めた状態で裏側から圧縮してプレスした後、その上から伸縮性を有する生地を外縁の裏側に沿って帯状に縫付け、若しくは貼り付けたものである。
【００４０】
ここで、「伸縮性を有する生地」としては、パワーネット、スパンレックス、トリコット、ニット生地、ポリウレタンが１％から３０％混入されたポリウレタン混合生地、綿ストレッチ、ストレッチレース、バイアステープ（裏地、トリコット、等）、ゴムテープ、ストレッチサテン、等がある。
【００４１】
このように、ウエスト周り伸縮自在構造を構成する延出部と収容部の重ね合せ部がＬポケットの前中心よりの外縁の近傍に位置するため、収容部の端がＬポケットの前中心よりの外縁とスムーズにつながるような外見となり、収容部の端を隠さなくとも美観を損なうことがない。また、外縁中央部を長さ方向に縮めた状態で裏側から（例えば、アイロン等により）プレスして上から伸縮性を有する生地を帯状に縫付け、若しくは貼り付けてあるため、ウエスト周り伸縮自在構造によってウエスト周りが伸びて延出部が収容部から抜き出される方向に移動する際に、Ｌポケットの外縁上部も前中心方向に引っ張られるが、外縁中央部が上述したように伸縮自在の構造になっているため滑らかに伸びて追従し、Ｌポケットの周辺に従来のようなシワがよって見栄えを損ねることもない。
【００４２】
そして、ウエスト周りを伸ばそうとする力が解除されると、延出部と収容部との間に両端が接続された主弾性材によって再び延出部が収容部内に収容される方向に移動するが、この際にもＬポケットの外縁中央部が伸縮自在の構造になっているため滑らかに縮んで追従し、綺麗にもとの状態に復帰する。このように、本発明に係るＬポケット付きボトムズにおいては、従来不可能とされてきたＬポケット付きボトムズにウエスト周り伸縮自在構造を付加することを、簡単な構造によって可能としたものである。
【００４３】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００４４】
請求項２の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、Ｌポケットの外縁に沿って前記Ｌポケットの袋布を縫付ける際に外縁上部をベルト部とほぼ垂直になるように立てるとともに外縁中央部に１以上の切欠きを入れて切欠きを縮めた状態で上から伸縮性を有する生地を外縁の裏側に沿って帯状に縫付け、若しくは貼り付けたものである。
【００４５】
このように、ウエスト周り伸縮自在構造を構成する延出部と収容部の重ね合せ部がＬポケットの前中心よりの外縁の近傍に位置するため、収容部の端がＬポケットの前中心よりの外縁とスムーズにつながるような外見となり、収容部の端を隠さなくとも美観を損なうことがない。また、外縁中央部に１以上の切欠きを入れて切欠きを縮めた状態で上から伸縮性を有する生地を帯状に縫付け、若しくは貼り付けてあるため、ウエスト周り伸縮自在構造によってウエスト周りが伸びて延出部が収容部から抜き出される方向に移動する際に、Ｌポケットの外縁上部も前中心方向に引っ張られるが、外縁中央部が上述したように伸縮自在の構造になっているため滑らかに伸びて追従し、Ｌポケットの周辺に従来のようなシワがよって見栄えを損ねることもない。
【００４６】
更に、外縁中央部を長さ方向に縮めた状態で裏側からアイロン等によりプレスする代わりに、外縁中央部に１以上の切欠きを入れて切欠きを縮めた状態で上から伸縮性を有する生地を帯状に縫付け、若しくは貼り付けて外縁中央部を伸縮自在の構造にしているため、製造工程がより簡単になり短時間で製造することができる。そして、ウエスト周りを伸ばそうとする力が解除されると、延出部と収容部との間に両端が接続された主弾性材によって再び延出部が収容部内に収容される方向に移動するが、この際にもＬポケットの外縁中央部が伸縮自在の構造になっているため滑らかに縮んで追従し、綺麗にもとの状態に復帰する。このように、本発明に係るＬポケット付きボトムズにおいては、従来不可能とされてきたＬポケット付きボトムズにウエスト周り伸縮自在構造を付加することを、簡単な構造によって可能としたものである。
【００４７】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００４８】
請求項３の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、Ｌポケットの外縁をベルト部に接する上部から下部にいくに従って前中心方向に突出するように湾曲した形状としたものである。
【００４９】
このように、ウエスト周り伸縮自在構造を構成する延出部と収容部の重ね合せ部がＬポケットの前中心よりの外縁の近傍に位置するため、収容部の端がＬポケットの前中心よりの外縁とスムーズにつながるような外見となり、収容部の端を隠さなくとも美観を損なうことがない。また、Ｌポケットの外縁中央部が前中心方向に突出するように湾曲した外縁形状を有しているため、ウエスト周り伸縮自在構造によってウエスト周りが伸びて延出部が収容部から抜き出される方向に移動する際に、Ｌポケットの外縁上部も前中心方向に引っ張られるが、外縁中央部が外縁上部よりも前中心方向に突出しているため外縁上部が滑らかに追従することができ、Ｌポケットの周辺に従来のようなシワがよって見栄えを損ねることがない。
【００５０】
更に、外縁中央部を長さ方向に縮めた状態で裏側からアイロン等によりプレスしたり、外縁中央部に１以上の切欠きを入れて切欠きを縮めた状態で上から伸縮性を有する生地を帯状に縫付けたりする必要がなく、生地の形状を変えるだけで良いため製造工程がより一層簡単になりより短時間で製造することができる。そして、ウエスト周りを伸ばそうとする力が解除されると、延出部と収容部との間に両端が接続された主弾性材によって再び延出部が収容部内に収容される方向に移動するが、この際にもＬポケットの外縁上部が滑らかに追従することができ、綺麗にもとのＬポケットの形状に復帰する。このように、本発明に係るＬポケット付きボトムズにおいては、従来不可能とされてきたＬポケット付きボトムズにウエスト周り伸縮自在構造を付加することを、極めて簡単な構造によって可能としたものである。
【００５１】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００５２】
請求項４の発明に係るＬポケット付きボトムズは、Ｌポケットの袋布のＬポケット付きボトムズの前中心側の端の折り返し部分の上部を分割して、その分割部分に沿ってスラッシュ始末したものである。
【００５３】
請求項１乃至請求項３に係るＬポケット付きボトムズにおいては、Ｌポケットの周囲にシワ等を生ずることなくウエスト伸縮を行うことができるが、Ｌポケットの袋布の構造には、袋布の生地をＬポケット付きボトムズの前中心側で折り返して下辺を縫付けることによって袋状とする場合と、袋布の生地を下辺で折り返して前中心側で袋布の生地を接ぎ合わせることによって袋状とする場合とに大きく分けることができる。
【００５４】
袋布の生地をＬポケット付きボトムズの前中心側で折り返す場合に折り返し部分の上部に切り込みを入れる等して分割することによって、Ｌポケット付きボトムズのウエスト周りが伸縮する際に表から見たＬポケットの周囲にシワ等を生ずることをより効果的に防止することができる。即ち、Ｌポケットの袋布の前中心側の端の折り返し部分の上部を分割して、その分割部分からほつれないようにスラッシュ始末しておくことによって、Ｌポケット付きボトムズのウエスト周りが伸縮する際にＬポケットの袋布に掛かる引っ張り力が分割部分が開閉することによって逃がされるため、引っ張り力が表側に響いてＬポケットの隅が歪んだりＬポケットの周辺にシワが寄ったりするのを確実に防止できる。
【００５５】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００５６】
請求項５の発明に係るＬポケット付きボトムズは、Ｌポケットの袋布のＬポケット付きボトムズの前中心側の端の折り返し部分の上部を分割して、その分割部分に沿ってパイピングを施したものである。
【００５７】
袋布の生地をＬポケット付きボトムズの前中心側で折り返す場合に折り返し部分の上部に切り込みを入れる等して分割することによって、Ｌポケット付きボトムズのウエスト周りが伸縮する際に表から見たＬポケットの周囲にシワ等を生ずることをより効果的に防止することができる。即ち、Ｌポケットの袋布の前中心側の端の折り返し部分の上部を分割して、その分割部分に沿ってパイピングを施しておくことによって、Ｌポケット付きボトムズのウエスト周りが伸縮する際にＬポケットの袋布に掛かる引っ張り力が分割部分が開閉することによって逃がされるため、引っ張り力が表側に響いてＬポケットの隅が歪んだりＬポケットの周辺にシワが寄ったりするのを確実に防止できる。
【００５８】
更に、分割部分に沿ってパイピングを施すことによって、分割部分が開閉する際にパイピングを施した部分同士が接触するため、滑りが良くなりより滑らかに開閉させることができる。
【００５９】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００６０】
請求項６の発明に係るＬポケット付きボトムズは、Ｌポケットの袋布のＬポケット付きボトムズの前中心側の端の接ぎ合わせ部分の上部を接ぎ合わせずに離れた状態で残したものである。
【００６１】
袋布の生地をＬポケット付きボトムズの前中心側で接ぎ合わせる場合に接ぎ合わせ部分の上部のみを接ぎ合わせずに分割したままとすることによって、Ｌポケット付きボトムズのウエスト周りが伸縮する際に表から見たＬポケットの周囲にシワ等を生ずることをより効果的に防止することができる。即ち、Ｌポケットの袋布の前中心側の端の接ぎ合わせ部分の上部のみを接ぎ合わせずに残しておくことによって、Ｌポケット付きボトムズのウエスト周りが伸縮する際にＬポケットの袋布に掛かる引っ張り力が分割部分が開閉することによって逃がされるため、引っ張り力が表側に響いてＬポケットの隅が歪んだりＬポケットの周辺にシワが寄ったりするのを確実に防止できる。
【００６２】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００６３】
請求項７の発明に係るＬポケット付きボトムズは、Ｌポケットの袋布のＬポケット付きボトムズの前中心側の端の折り返し部分の上部にタックを形成したものである。
【００６４】
袋布の生地をＬポケット付きボトムズの前中心側で折り返す場合に折り返し部分の上部にタックを形成することによって、Ｌポケット付きボトムズのウエスト周りが伸縮する際に表から見たＬポケットの周囲にシワ等を生ずることをより効果的に防止することができる。即ち、Ｌポケットの袋布の前中心側の端の折り返し部分の上部にタックを形成しておくことによって、Ｌポケット付きボトムズのウエスト周りが伸縮する際にＬポケットの袋布に掛かる引っ張り力がタックが開閉することによって逃がされるため、引っ張り力が表側に響いてＬポケットの隅が歪んだりＬポケットの周辺にシワが寄ったりするのを確実に防止できる。
【００６５】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００６６】
請求項８の発明に係るＬポケット付きボトムズは、タックの襞の幅がウエスト周り伸縮自在構造により伸縮する分より大きい。即ち、Ｌポケット付きボトムズのウエスト周りがウエスト周り伸縮自在構造の一杯まで伸びた場合においても、タックが余裕を持って開くことができるために引っ張り力を確実に逃がすことができ、引っ張り力が表側に響いてＬポケットの隅が歪んだりＬポケットの周辺にシワが寄ったりするのを確実に防止することができる。
【００６７】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００６８】
請求項９の発明に係るＬポケット付きボトムズは、ウエスト周り伸縮自在構造によりＬポケットの袋布が移動して捩れる分だけＬポケット付きボトムズの前中心側の端においてＬポケットの袋布の縁をカットしてＬポケット付きボトムズの表地と縫い合わせる。
【００６９】
請求項１乃至請求項３に係るＬポケット付きボトムズにおいては、Ｌポケットの周囲にシワ等を生ずることなくウエスト伸縮を行うことができるが、Ｌポケットの袋布の構造において袋布の生地を通常のＬポケットと同様に縫い合わせると、ウエスト周り伸縮自在構造により引っ張り力が掛かった場合にＬポケットの袋布が捩れて、これが表側から見た場合に表側に響いてＬポケットの隅が歪んだりＬポケットの周辺にシワが寄ったりする原因となる。
【００７０】
そこで、引っ張り力が掛かった場合にＬポケットの袋布が捩れる分だけＬポケット付きボトムズの前中心側の端においてＬポケットの袋布の縁をカットしておいて、新しい縁にＬポケット付きボトムズの表地を縫い合わせることによって、Ｌポケット付きボトムズのウエスト周りが伸縮する際にＬポケットの袋布に掛かる引っ張り力が逃がされるため、引っ張り力が表側に響いてＬポケットの隅が歪んだりＬポケットの周辺にシワが寄ったりするのを確実に防止することができる。
【００７１】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００７２】
請求項１０の発明に係るＬポケット付きボトムズは、ウエスト周り伸縮自在構造によりＬポケットの袋布が移動して捩れる分だけＬポケットの袋布の周囲の縁を予めずらして裁断してＬポケット付きボトムズの表地と縫い合わせる。
【００７３】
本発明に係るＬポケット付きボトムズにおいては、請求項９の発明よりも更に一歩進んで、引っ張り力が掛かった場合にＬポケットの袋布が捩れる分だけＬポケットの袋布の周囲の縁を予めずらして裁断しておいて、これにＬポケット付きボトムズの表地を縫い合わせることによって、Ｌポケット付きボトムズのウエスト周りが伸縮する際にＬポケットの袋布に掛かる引っ張り力が袋布の周囲に均等に分散されて逃がされるため、引っ張り力が表側に響いてＬポケットの隅が歪んだりＬポケットの周辺にシワが寄ったりするのを確実に防止することができる。
【００７４】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００７５】
請求項１１の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、Ｌポケットの袋布のＬポケット付きボトムズの前中心側の端の折り返し部分の上部を分割して、その分割部分に沿ってスラッシュ始末したものである。
【００７６】
Ｌポケットの袋布の構造には、袋布の生地をＬポケット付きボトムズの前中心側で折り返して下辺を縫付けることによって袋状とする場合と、袋布の生地を下辺で折り返して前中心側で袋布の生地を接ぎ合わせることによって袋状とする場合とに大きく分けることができる。袋布の生地をＬポケット付きボトムズの前中心側で折り返す場合に折り返し部分の上部に切り込みを入れる等して分割することによって、Ｌポケット付きボトムズのウエスト周りが伸縮する際に表から見たＬポケットの周囲にシワ等を生ずることを効果的に防止することができる。
【００７７】
即ち、Ｌポケットの袋布の前中心側の端の折り返し部分の上部を分割して、その分割部分からほつれないようにスラッシュ始末しておくことによって、Ｌポケット付きボトムズのウエスト周りが伸縮する際にＬポケットの袋布に掛かる引っ張り力が分割部分が開閉することによって逃がされるため、引っ張り力が表側に響いてＬポケットの隅が歪んだりＬポケットの周辺にシワが寄ったりするのを確実に防止することができる。
【００７８】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００７９】
請求項１２の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、Ｌポケットの袋布のＬポケット付きボトムズの前中心側の端の折り返し部分の上部を分割して、その分割部分に沿ってパイピングを施したものである。
【００８０】
袋布の生地をＬポケット付きボトムズの前中心側で折り返す場合に折り返し部分の上部に切り込みを入れる等して分割することによって、Ｌポケット付きボトムズのウエスト周りが伸縮する際に表から見たＬポケットの周囲にシワ等を生ずることを効果的に防止することができる。即ち、Ｌポケットの袋布の前中心側の端の折り返し部分の上部を分割して、その分割部分に沿ってパイピングを施しておくことによって、Ｌポケット付きボトムズのウエスト周りが伸縮する際にＬポケットの袋布に掛かる引っ張り力が分割部分が開閉することによって逃がされるため、引っ張り力が表側に響いてＬポケットの隅が歪んだりＬポケットの周辺にシワが寄ったりするのを確実に防止することができる。
【００８１】
更に、分割部分に沿ってパイピングを施すことによって、分割部分が開閉する際にパイピングを施した部分同士が接触するため、滑りが良くなりより滑らかに開閉させることができる。
【００８２】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００８３】
請求項１３の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、Ｌポケットの袋布のＬポケット付きボトムズの前中心側の端の接ぎ合わせ部分の上部を接ぎ合わせずに離れた状態で残したものである。
【００８４】
袋布の生地をＬポケット付きボトムズの前中心側で接ぎ合わせる場合に接ぎ合わせ部分の上部のみを接ぎ合わせずに分割したままとすることによって、Ｌポケット付きボトムズのウエスト周りが伸縮する際に表から見たＬポケットの周囲にシワ等を生ずることを効果的に防止することができる。即ち、Ｌポケットの袋布の前中心側の端の接ぎ合わせ部分の上部のみを接ぎ合わせずに残しておくことによって、Ｌポケット付きボトムズのウエスト周りが伸縮する際にＬポケットの袋布に掛かる引っ張り力が分割部分が開閉することによって逃がされるため、引っ張り力が表側に響いてＬポケットの隅が歪んだりＬポケットの周辺にシワが寄ったりするのを確実に防止することができる。
【００８５】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００８６】
請求項１４の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、Ｌポケットの袋布のＬポケット付きボトムズの前中心側の端の折り返し部分の上部にタックを形成したものである。
【００８７】
袋布の生地をＬポケット付きボトムズの前中心側で折り返す場合に折り返し部分の上部にタックを形成することによって、Ｌポケット付きボトムズのウエスト周りが伸縮する際に表から見たＬポケットの周囲にシワ等を生ずることを効果的に防止することができる。即ち、Ｌポケットの袋布の前中心側の端の折り返し部分の上部にタックを形成しておくことによって、Ｌポケット付きボトムズのウエスト周りが伸縮する際にＬポケットの袋布に掛かる引っ張り力がタックが開閉することによって逃がされるため、引っ張り力が表側に響いてＬポケットの隅が歪んだりＬポケットの周辺にシワが寄ったりするのを確実に防止することができる。
【００８８】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００８９】
請求項１５の発明に係るＬポケット付きボトムズは、タックの襞の幅がウエスト周り伸縮自在構造により伸縮する分より大きい。即ち、Ｌポケット付きボトムズのウエスト周りがウエスト周り伸縮自在構造の一杯まで伸びた場合においても、タックが余裕を持って開くことができるために引っ張り力を確実に逃がすことができ、引っ張り力が表側に響いてＬポケットの隅が歪んだりＬポケットの周辺にシワが寄ったりするのを確実に防止することができる。
【００９０】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００９１】
請求項１６の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、ウエスト周り伸縮自在構造によりＬポケットの袋布が移動して捩れる分だけＬポケット付きボトムズの前中心側の端においてＬポケットの袋布の縁をカットしてＬポケット付きボトムズの表地と縫い合わせたものである。
【００９２】
Ｌポケットの袋布の構造において、袋布の生地を通常のＬポケットと同様に縫い合わせると、ウエスト周り伸縮自在構造により引っ張り力が掛かった場合にＬポケットの袋布が捩れて、これが表側から見た場合に表側に響いてＬポケットの隅が歪んだり、Ｌポケットの周辺にシワが寄ったりする原因となる。
【００９３】
そこで、引っ張り力が掛かった場合にＬポケットの袋布が捩れる分だけＬポケット付きボトムズの前中心側の端においてＬポケットの袋布の縁をカットしておき、新しい縁にＬポケット付きボトムズの表地を縫い合わせることによって、Ｌポケット付きボトムズのウエスト周りが伸縮する際にＬポケットの袋布に掛かる引っ張り力が逃がされるため、引っ張り力が表側に響いてＬポケットの隅が歪んだりＬポケットの周辺にシワが寄ったりするのを確実に防止することができる。
【００９４】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００９５】
請求項１７の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置し、ベルト部と交差し、ベルト部と縫着しない被服地の重ね合せ部と、重ね合せ部の一方の布地側に設けられ、一端が延出する芯材を有するベルト部に形成された延出部と、重ね合せ部の他方の布地側に形成され、延出部を意匠面側から隠れるように収容する収容部と、延出部と収容部との間に両端が接続された主弾性材と、収容部の内面に固着された芯材とを具備し、ウエスト周り伸縮自在構造によりＬポケットの袋布が移動して捩れる分だけＬポケットの袋布の周囲の縁を予めずらして裁断してＬポケット付きボトムズの表地と縫い合わせたものである。
【００９６】
本発明に係るＬポケット付きボトムズにおいては、請求項１６の発明よりも更に一歩進んで、引っ張り力が掛かった場合にＬポケットの袋布が捩れる分だけＬポケットの袋布の周囲の縁を予めずらして裁断しておいて、これにＬポケット付きボトムズの表地を縫い合わせることによって、Ｌポケット付きボトムズのウエスト周りが伸縮する際にＬポケットの袋布に掛かる引っ張り力が袋布の周囲に均等に分散されて逃がされるため、引っ張り力が表側に響いてＬポケットの隅が歪んだりＬポケットの周辺にシワが寄ったりするのを確実に防止することができる。
【００９７】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００９８】
請求項１８の発明に係るＬポケット付きボトムズにおいては、Ｌポケットの袋布の生地の折り返し線で区分される一方を０．１ｃｍ〜０．５ｃｍの範囲内で斜めにずれるように裁断して縫い合わせる。これによって、縫い合わされた袋布は、予め引っ張り力が掛かった場合にＬポケットの袋布が捩れる分だけＬポケットの袋布の周囲の縁がずらされているため、引っ張り力が表側に響いてＬポケットの隅が歪んだりＬポケットの周辺にシワが寄ったりするのを確実に防止することができる。
【００９９】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１００】
請求項１９の発明に係るＬポケット付きボトムズにおいては、Ｌポケットの袋布の生地の折り返し線で区分される一方を０．１ｃｍ〜０．５ｃｍの範囲内で斜めに大きくなるように裁断して縫い合わせる。これによって、縫い合わされた袋布は、予め引っ張り力が掛かった場合にＬポケットの袋布が捩れる分だけＬポケットの袋布がダブついているため、引っ張り力を吸収することができ、引っ張り力が表側に響いてＬポケットの隅が歪んだりＬポケットの周辺にシワが寄ったりするのを確実に防止することができる。
【０１０１】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１０２】
請求項２０の発明に係るＬポケット付きボトムズは、収容部の縁を覆うようにかつ延出部の移動を妨げないようにベルト部にベルト通しを縫付けたものである。
【０１０３】
請求項１乃至請求項１９の発明に係るＬポケット付きボトムズにおいては、ウエスト周り伸縮自在構造を構成する延出部と収容部の重ね合せ部がＬポケットの前中心よりの外縁の近傍に位置するため、収容部の端がＬポケットの前中心よりの外縁とスムーズにつながるような外見となり、収容部の端を隠さなくとも美観を損なうことはない。しかし、ウエスト周り伸縮自在構造が大きく伸びた場合には、収容部の端とＬポケットの前中心よりの外縁とがずれるため、収容部の端が多少目立つことにもなる。
【０１０４】
そこで、収容部の縁を覆うようにベルト部にベルト通しを縫付けることによって、外観上収容部の縁を完全に隠して収容部の端とＬポケットの前中心よりの外縁とがずれた場合においても、不自然な感じを与えないようにすることができる。
【０１０５】
このようにして、更に見栄え・美観を損なうことなく、Ｌポケットの前中心よりの側に延出部と収容部の境界線を位置させてウエストサイズを伸縮自在とすることができるＬポケット付きボトムズとなる。
【０１０６】
請求項２１の発明に係るＬポケット付きボトムズは、主弾性材には、その最大伸びを制限する伸び止め材を並設したものである。従って、請求項１乃至請求項２０のいずれか１つに記載の効果に加えて、主弾性材の伸びを制限することができるので、主弾性材に無理な引っ張り力が掛かるのを確実に防止することができ、主弾性材を長持ちさせることができる。
【０１０７】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１０８】
請求項２２の発明に係るＬポケット付きボトムズにおいては、延出部の裏側の折り返し部分が斜めにカットされて、折り返し部分の斜めの部分の下端が最大伸びの長さよりも深く収容部の中に入れられている。
【０１０９】
このように、延出部の裏側の折り返し部分を斜めにカットすることによって、延出部が収容部の中に出入りし易くなるという利点が得られるが、その反面、ウエストベルト周辺が伸びて延出部が収容部から引き出された際に、収容部の内部の芯材や折り返し部分の端がウエストベルトの裏側において露出してしまう。したがって、見栄えが悪いばかりでなく、これら露出した部分を見た使用者が、内部構造に興味をもって収容部の折り返し部分等を引き出してしまう恐れもある。
【０１１０】
そこで、本発明に係るＬポケット付きボトムズにおいては、延出部のカット部分の下端を最大伸びの長さよりも内側へずらすことによって、ウエストベルト周辺が最大限まで伸びて延出部が最大限まで引き出された際においても、延出部のカット部分の下端が収容部内に収まっているようにすることによって、収容部の内部や折り返し部分が見えることがないようにした。
【０１１１】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１１２】
請求項２３の発明に係るＬポケット付きボトムズにおいては、延出部の裏側の折り返し部分が斜めにカットされて、折り返し部分の内側に伸縮性を有する生地からなる押え布の下辺が、収容部の裏側の折り返し部分の内側に押え布の上辺が縫付けられている。ここで、「伸縮性を有する生地」としては、パワーネット、スパンレックス、トリコット、ニット生地、ポリウレタンが１％から３０％混入されたポリウレタン混合生地、綿ストレッチ、バイアステープ（裏地、トリコット、等）、ゴムテープ、ストレッチサテン、ストレッチレース、等がある。
【０１１３】
これによって、主弾性材が伸び縮みすることによるウエストベルト周辺の伸縮を妨げることなく、収容部の開口部の一部を塞ぐことができるため、ウエストベルト周辺が最大限まで伸びた際においても収容部の折り返し部分や芯材が見えるのを防ぐとともに、収容部の開口部がめくれ難くなるため、使用者がこれらの部材を引っ張り出してしまうことも防止することができる。
【０１１４】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１１５】
請求項２４の発明に係るＬポケット付きボトムズは、請求項２１の構成において、前記延出部の裏側の折り返し部分が斜めにカットされて、前記折り返し部分の上端と前記収容部の裏側の折り返し部分の下端とが伸縮性を有しない生地からなるストッパーテープで接続されたものである。ここで、「伸縮性を有しない生地」としては、綿テープ、サテンテープ、リボンテープ、等を用いることができる。
【０１１６】
ウエストベルトが伸縮自在なＬポケット付きボトムズにおいては、ウエストベルト周辺が伸びた際に収容部の内部や折り返し部分が裏側に露出してしまうという問題とともに、ウエストベルト周辺が伸びるにしたがって収容部の折り返し部分が下方へ下がってしまうという問題があった。この問題は、上記請求項２３の発明に係るＬポケット付きボトムズに示されるように押え布を縫付けることによって解決されるが、押え布を長方形や正方形や菱形にすることによって裁断をより容易にしたとしても、押え布を貼り付ける作業は手間が掛かり、どちらかというと高級品向きである。
【０１１７】
そこで、押え布を縫付けた場合のような目覚しい効果はないが、より大量生産に適した方法として、本発明においては、収容部の折り返し部分の下端を伸縮性を有しない生地からなるストッパーテープによって延出部の上端で引き上げるようにしたものである。ここで、ストッパーテープは、ウエストベルト周辺が全く伸びていない状態において、ウエストベルトの伸縮方向に略垂直な方向に縫付けても良いし、どちらかに傾いた状態で縫付けても良い。また、ストッパーテープは、ウエストベルト周辺が全く伸びていない状態において、延出部の上端の縫付け部分と収容部の下端の縫付け部分の間で緩んだ状態で縫付けても良い。
【０１１８】
このように、ウエストベルト周辺が全く伸びていない状態において、ストッパーテープを傾けた状態や上下の縫付け部分の間で緩んだ状態で縫付けることによって、ウエストベルト周辺が伸びていない場合には余裕があり、ウエストベルト周辺が伸びるにしたがってストッパーテープが張り詰めた状態となり、ウエストベルト周辺が最大限まで伸びた状態においては、ストッパーテープによって収容部の下端が強く引き上げられるため、収容部の折り返し部分が下方へ下がるのを確実に防ぐことができる。
【０１１９】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１２０】
請求項２５の発明に係るＬポケット付きボトムズにおいては、伸び止め材が主弾性材の前中心よりの端において主弾性材とともにベルト部に縫付けられ、主弾性材の最大伸びに相当する長さだけ弛ませて主弾性材の脇よりの端にのみ縫付けられ、更に主弾性材の脇よりの端よりも突出してベルト部の脇側に縫付けられる。
【０１２１】
主弾性材の一方の端は伸び止め材の一方の端とともに延出部の先端に縫付けられるため、この縫付けのステッチはＬポケット付きボトムズの表側からは見えないが、主弾性材の他方の端は伸び止め材の他方の端とともに収容部に縫付けられるため、この縫付けのステッチはＬポケット付きボトムズの表側に出てしまう。カジュアルなＬポケット付きボトムズにおいては、縫付けのステッチが見えてもさほど気にはならないものの、より美観を向上させるためには、この縫付けのステッチをベルト通しで隠すのが効果的である。
【０１２２】
ところが、従来はベルト通しが全周で７ヵ所に付けられていたのが、近年はベルト通しを全周で５ヵ所だけに取り付けるのが主流になってきたため、隣り合ったベルト通しの間隔が長くなる傾向にある。ウエストベルト伸縮自在のＬポケット付きボトムズにおいて、収容部の開口部分をベルト通しで隠すと、次のベルト通しは離れた位置に来るために、伸び止め材の他方の端を主弾性材の他方の端とともに収容部に縫付けた場合には、この縫付けのステッチを次のベルト通しの真下に位置させることができず、隠すことができなかった。
【０１２３】
そこで、本発明に係るＬポケット付きボトムズにおいては、伸び止め材の他端を延長することによって、伸び止め材の他端のみを収容部の開口部分から離れた位置にステッチで縫付けて、このステッチを次のベルト通しの真下に位置させて、表から見えないように隠せるようにした。なお、伸び止め材の中間部分は主弾性材の他方の端のみに縫付けられ、収容部の内側からは浮いた状態にあるため、外部の美観を損ねることはない。
【０１２４】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１２５】
請求項２６の発明に係るＬポケット付きボトムズにおいては、主弾性材にその最大伸びを制限する伸び止め材の役割をするストッパー部分を並設し、ストッパー部分は延出部と一体とした。即ち、延出部の先端を細くして延長し、共布で伸び止め材の役割をするストッパー部分を設けたものである。これによって、単独の伸び止め材をリボンテープ等で設ける必要がなく、縫製工程も簡略化されるため、コストが掛からず安価に主弾性材の寿命を延ばすことができる。
【０１２６】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１２７】
請求項２７の発明に係るＬポケット付きボトムズにおいては、ストッパー部分が主弾性材の前中心よりの端において主弾性材とともにベルト部に縫付けられ、主弾性材の最大伸びに相当する長さだけ弛ませて主弾性材の脇よりの端にのみ縫付けられ、更に主弾性材の脇よりの端よりも突出してベルト部の脇側に縫付けられる。
【０１２８】
これによって、単独の伸び止め材をリボンテープ等で設ける必要がなく、縫製工程も簡略化されるため、コストが掛からず安価に主弾性材の寿命を延ばすことができる。また、請求項２５の発明に係るＬポケット付きボトムズと同様の構成を採ることによって、ストッパー部分の先端のみを収容部の開口部分から離れた位置にステッチで縫付けて、このステッチを次のベルト通しの真下に位置させて、表から見えないように隠せるようにした。
【０１２９】
このようにして、見栄え・美観を損なうことなく、Ｌポケットの前中心よりの側に延出部と収容部の境界線を位置させてウエストサイズを伸縮自在とすることができるＬポケット付きボトムズとなる。
【０１３０】
請求項２８の発明に係るＬポケット付きボトムズは、収容部の開口近傍の内面に裏地を縫付けたものである。従って、請求項１乃至請求項２７のいずれか１つに記載の効果に加えて、主弾性材の弾性力により収容部に挿入された延出部が収容部裏地のみと摺接し、芯材等と摺接することがなくなり、その接触抵抗を少なくすることができることから、延出部と収容部との滑らかな動きを得ることができる。
【０１３１】
このようにして、見栄え・美観を損なうことなく、Ｌポケットの前中心よりの側に延出部と収容部の境界線を位置させてウエストサイズを伸縮自在とすることができるＬポケット付きボトムズとなる。
【発明を実施するための最良の形態】
【０１３２】
以下、本発明の実施の形態に係るＬポケット付きボトムズについて、図面を参照しつつ説明する。
【０１３３】
実施の形態１
まず、本発明の実施の形態１に係るＬポケット付きボトムズについて、図１乃至図１２を参照して説明する。
【０１３４】
図１（ａ）は本発明の実施の形態１に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。図２（ａ），（ｂ），（ｃ），（ｄ），（ｅ），（ｆ）は本発明の実施の形態１に係るＬポケット付きボトムズの左Ｌポケットの外縁の伸縮構造の作製手順を表側から見て示す説明図である。図３（ａ）は本発明の実施の形態１に係るＬポケット付きボトムズの要部裏面の縫製途中の構成を示す部品展開図、（ｂ）は縫製が完成した状態を示す部分拡大図である。
【０１３５】
図４は本発明の実施の形態１の第１変形例に係るＬポケット付きボトムズの要部裏面の縫製途中の構成を示す部品展開図である。図５（ａ）は本発明の実施の形態１の第１変形例に係るＬポケット付きボトムズのウエストベルト周辺が伸びた場合のＬポケット周辺裏側を示す部分拡大図、（ｂ）は本発明の実施の形態１の第２変形例に係るＬポケット付きボトムズのウエストベルト周辺が伸びた場合のＬポケット周辺裏側を示す部分拡大図である。
【０１３６】
図６（ａ）は本発明の実施の形態１の第３変形例に係るＬポケット付きボトムズの縫製途中の構成を示す部品展開図、（ｂ）は縫製が完了した状態のＬポケット周辺裏側を示す部分拡大図である。図７は本発明の実施の形態１の第４変形例に係るＬポケット付きボトムズの縫製途中の構成を示す部品展開図である。図８（ａ）は本発明の実施の形態１の第５変形例に係るＬポケット付きボトムズの縫製途中の構成を示す部品展開図、（ｂ）は本発明の実施の形態１の第５変形例に係るＬポケット付きボトムズのウエストベルト周辺が伸びた場合の押え布の変形の様子を部品展開図で示す説明図である。
【０１３７】
図９（ａ），（ｂ），（ｃ）は本発明の実施の形態１の第５変形例に係るＬポケット付きボトムズの押え布のサイズの変形例を示す図、（ｄ）は本発明の実施の形態１の第５変形例に係るＬポケット付きボトムズの押え布のステッチの位置の変化を示す説明図である。図１０（ａ）〜（ｆ）は本発明の実施の形態１の第５変形例に係るＬポケット付きボトムズの押え布のバリエーションを示す説明図である。
【０１３８】
図１１（ａ）は本発明の実施の形態１の第１変形例に係るＬポケット付きボトムズのウエストベルト周辺が伸びた場合のＬポケット周辺裏側を示す部分拡大図、（ｂ）は本発明の実施の形態１の第６変形例に係るＬポケット付きボトムズの内部構造を裏側から見て示す部分拡大図、（ｃ）は本発明の実施の形態１の第７変形例に係るＬポケット付きボトムズの内部構造を裏側から見て示す部分拡大図である。図１２（ａ），（ｂ）は本発明の実施の形態１の第７変形例に係るＬポケット付きボトムズのストッパーテープのバリエーションを示す説明図である。
【０１３９】
図１に示されるように、本実施の形態１に係るＬポケット付きボトムズとしての綿パン１は、前身頃のベルト部３の近傍に左右１対のＬポケット２を有しており、これらのＬポケット２のポケット口外縁２Ａの前中心ＦＣよりの部分（外縁２Ａの上部）の近傍に、ベルト部３の見掛け上の長さを伸縮自在としたウエスト周り伸縮自在構造を有している。即ち、後で詳細に説明するように、ベルト部３には左右１対のＬポケット２のポケット口外縁２Ａの近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されることによって、ベルト部３の見掛け上の長さを伸縮自在としている。
【０１４０】
これによって、ベルト部３に引っ張り力が掛かっていない場合には、図１（ｂ）に示されるようにＬポケット２の外縁２Ａの上部が収容部３Ａの縁と一致しており、ベルト部３に引っ張り力が掛かってウエスト周りが伸びると、図１（ｃ）に示されるようにＬポケット２の外縁２Ａの上部も延出部３Ｂと一体に移動して、Ｌポケット２の周囲にシワ等を生ずることなくＬポケット２の外縁２Ａが滑らかに変形する。これは、Ｌポケット２の外縁２Ａが伸縮性を有しているからである。
【０１４１】
このＬポケット２の外縁２Ａに伸縮性を持たせる縫製方法について、図２を参照して説明する。図２（ａ），…，（ｆ）は、全て左側のＬポケット２を表側から見て縫製の手順を示したものである。まず、図２（ａ）に示されるように、綿パン１の前身頃４の表側にＬポケット２の外縁２Ａの形状に合わせて裁断した袋布の生地５を、地縫い６によって縫付ける。次に、図２（ｂ）に示されるように、外縁２Ａの上部２Ａａをほぼ垂直に立てながら外縁２Ａの中央部２Ａｂを長さ方向に縮めた状態として、この状態で外縁中央部２Ａｂの上からスチームアイロンを掛けて圧縮してプレスする。
【０１４２】
これによって、縮めた状態とした外縁中央部２Ａｂのシワは綺麗に潰れて、図２（ｃ）に示されるように滑らかな曲線となる。この上から、図２（ｃ）に示されるように、伸縮性を有する生地としての帯状のパワーネット７を、地縫い６の縫い目に沿って縫付ける。そして、図２（ｄ）に示されるように、帯状のパワーネット７の縁に沿って外側の余った部分を切り取り、図２（ｅ）に示されるように袋布５を地縫い６の部分で折り返して、袋布５を向こう側、即ち綿パン１の裏側にひっくり返す。そして、図２（ｆ）に示されるように新しいＬポケット２の外縁２Ａに沿ってダブルステッチ８を掛けることによって、外縁中央部２Ａｂが伸縮自在なＬポケット２の構造が完成する。
【０１４３】
なお、本実施の形態１においては、地縫い６を縫い易くするために地縫い６の外縁２Ａからの縫代を１．０ｃｍと大きく取ったので、図２（ｄ）に示されるように、帯状のパワーネット７の縁に沿って外側の余った部分を切り落とす工程が必要になっているが、最初から地縫い６の外縁２Ａからの縫代を０．５ｃｍと小さくしておけば、外側の余った部分を切り落とす工程が不要になるので、この方法によっても良い。
【０１４４】
次に、ウエスト周り伸縮自在構造について、図３を参照して説明する。図３は左側のＬポケット２の近傍を綿パン１の裏側から見て示したものである。図３（ａ）に示されるように、収容部３Ａを構成するベルト布３Ａａは綿パン１の前身頃４と共地の綿生地であり、延出部３Ｂを構成するベルト布３Ｂａも綿パン１の前身頃４と共地の綿生地である。また、収容部３Ａを構成するベルト布３Ａａの内側には、延出部３Ｂの滑りを浴するために、裏地１３が貼り付けられている。これら延出部３Ｂの先端と収容部３Ａの内側とが、収容部３Ａの内部において主弾性材としての幅の広いゴムテープ１０によって接続されている。
【０１４５】
更に、ゴムテープ１０には伸縮性のない生地からなる帯状の伸び止め材１１が縫付けられており、ゴムテープ１０に引っ張り力が掛かっても、この伸び止め材１１が折り畳まれている長さまでしか伸びることができない。これによって、ゴムテープ１０が過度に伸びるのを防止して、ゴムテープ１０が長持ちするようにしている。本実施の形態１に係るＬポケット付きボトムズとしての綿パン１においては、伸び止め材１１の折り畳み部分の長さを約２ｃｍとして、ウエスト周りの伸縮長さを約２ｃｍとしている。
【０１４６】
また、図３（ａ）に示されるように、Ｌポケット２の袋布５の上端と延出部３Ｂの内面とを補助弾性材としての幅の細いゴムテープ１２で接続しており、これによってウエスト周り伸縮自在構造によって延出部３Ｂが移動する際にＬポケット２の袋布５の形状が崩れたりして見栄えが悪くなるのを防ぐ働きをしている。更に、図３（ａ）に破線で示されるように、Ｌポケット２の袋布５の表側には、想像線で示されるＬポケット２の外縁２Ａの外側に袋布５の生地が見えるのを防ぐために、綿パン１の前身頃４と共地の綿生地からなる当て布１４が当て布ステッチ１５によって縫付けられている。
【０１４７】
このような構造を有する収容部３Ａを輪にして下端で閉じるとともに、図３（ｂ）に示されるように、収容部３Ａの下端にＬポケット２の袋布５の側を縫付け、延出部３Ｂを閉じるとともに延出部３Ｂの下端にＬポケット２の外縁２Ａを形成する綿パン１の前身頃４の側を縫付ける。
【０１４８】
このように、本実施の形態１に係るＬポケット付きボトムズとしての綿パン１においては、ウエスト周り伸縮自在構造を構成する延出部３Ｂと収容部３Ａの重ね合せ部がＬポケット２の前中心ＦＣよりの外縁２Ａの近傍に位置するため、収容部３Ａの端がＬポケット２の前中心ＦＣよりの外縁２Ａとスムーズにつながるような外見となり、収容部３Ａの端を隠さなくとも美観を損なうことがない。
【０１４９】
また、外縁中央部２Ａｂを長さ方向に縮めた状態で裏側からスチームアイロンによりプレスして、その上から伸縮性を有する生地としての帯状のパワーネット７を縫付けてあるため、ウエスト周り伸縮自在構造によってウエスト周りが伸びて延出部３Ｂが収容部３Ａから抜き出される方向に移動する際に、Ｌポケット２の外縁上部２Ａａも前中心ＦＣ方向に引っ張られるが、外縁中央部２Ａｂが上述したように伸縮自在の構造になっているため滑らかに伸びて追従し、Ｌポケット２の周辺に図３７に示されるような従来のようなシワ５５がよったりして見栄えを損ねることもない。
【０１５０】
そして、ウエスト周りを伸ばそうとする力が解除されると、延出部３Ｂと収容部３Ａとの間に両端が接続された主弾性材としてのゴムテープ１０によって再び延出部３Ｂが収容部３Ａ内に収容される方向に移動するが、この際にもＬポケット２の外縁中央部２Ａｂが伸縮自在の構造になっているため滑らかに縮んで追従し、綺麗にもとの状態に復帰する。このように、本実施の形態１に係るＬポケット付きボトムズとしての綿パン１においては、従来不可能とされてきたＬポケット付きボトムズにウエスト周り伸縮自在構造を付加することを、簡単な構造によって可能としたものである。
【０１５１】
次に、本実施の形態１の第１変形例に係るＬポケット付きボトムズのウエスト周り伸縮自在構造について、図４を参照して説明する。図４に示されるように、本実施の形態１の第１変形例に係るＬポケット付きボトムズとしての綿パン１Ａのウエスト周り伸縮自在構造は、図３（ａ）とほぼ同一であるため、同一部分には同一の符号を付して説明を省略する。図４が図３（ａ）と異なるのは、補助弾性材としての幅の細いゴムテープ１２Ａが、Ｌポケット２の袋布５の上端と延出部３Ｂの内面とを接続するのではなく、Ｌポケット２の袋布５の上端と綿パン１の前身頃４の裏側の縫代とを接続している点である。
【０１５２】
このように、Ｌポケット２の袋布５の上端と綿パン１の前身頃４の裏側の縫代とを補助弾性材としての幅の細いゴムテープ１２Ａで接続しており、これによってウエスト周り伸縮自在構造によって延出部３Ｂが移動する際にＬポケット２の袋布５の形状が崩れたりして見栄えが悪くなるのを防ぐ働きをしている。更に、図３（ａ）に示されるように幅の細いゴムテープ１２の一端を延出部３Ｂの内面に縫付けるよりも、図４に示されるように幅の細いゴムテープ１２Ａの一端を前身頃４の裏側の縫代に縫付けるほうが容易であり、製造し易くなるとともに、延出部３Ｂに縫い目が表れることがなくなるという利点が得られる。
【０１５３】
次に、本実施の形態１の第３変形例に係るＬポケット付きボトムズのウエストベルト内部構造について、図５及び図６を参照して説明する。
【０１５４】
図５（ａ）に示されるように、上述した第１変形例に係るＬポケット付きボトムズとしての綿パン１Ｂ（第１変形例１Ａの変形例）においては、幅の細いゴムテープ１２Ａの一端を前身頃４の裏側の縫代に縫付けたことによって、縫製が容易であり製造し易くなるとともに、延出部３Ｄに縫い目が表れなくなるという利点が得られるが、図５（ａ）に示されるように、延出部３Ｄを深くカットした場合には、ウエストベルト周辺が伸びた際に、幅の細いゴムテープ１２Ａやその縫付け部分が裏側に露出してしまう。
【０１５５】
また、図５（ｂ）に示されるように、補助弾性材としての幅の細いゴムテープ１２Ａを取付けない第２変形例に係るＬポケット付きボトムズとしての綿パン１Ｃにおいても、ウエストベルト周辺が伸びた際に、折り返し部分３Ｃｂが裏側に露出して見栄えが悪いばかりでなく、これら露出した幅の細いゴムテープ１２Ａや折り返し部分３Ｃｂを見た使用者が、内部構造に興味をもって幅の細いゴムテープ１２Ａや折り返し部分３Ｃｂを引き出してしまう恐れもある。
【０１５６】
そこで、図６（ａ），（ｂ）に示されるように、本実施の形態１の第３変形例に係るＬポケット付きボトムズとしての綿パン１Ｄにおいては、延出部３Ｆのカット部分３Ｆａを２ｃｍ内側へずらしてカット部分３Ｆｂとすることによって、ウエストベルト周辺が伸びた際においても、幅の細いゴムテープ１２Ａや収容部３Ｅの折り返し部分が見えないようにした。
【０１５７】
図６（ａ），（ｂ）に示されるのは、伸び止め材１１が弛んでいることからも分かるように、ウエストベルト周辺が全く伸びていない状態である。この状態から、ウエストベルト周辺が伸びて延出部３Ｆが収容部３Ｅから引き出されても、延出部３Ｆのカット部分３Ｆｂは収容部３Ｅの端から２ｃｍ奥に位置しており、主弾性材としてのゴムテープ１０は伸び止め材１１によって最大２ｃｍまでしか伸びないように設定されているため、幅の細いゴムテープ１２Ａや収容部３Ｅの折り返し部分が見えることはない。
【０１５８】
このようにして、本実施の形態１の第３変形例に係るＬポケット付きボトムズとしての綿パン１Ｄにおいては、ウエストベルト周辺が伸びた際においても、幅の細いゴムテープ１２Ａや収容部３Ｅの折り返し部分が見えず、見栄えを損ねることはない。
【０１５９】
次に、本実施の形態１の第４変形例及び第５変形例に係るＬポケット付きボトムズのウエストベルト内部構造について、図７乃至図１０を参照して説明する。
【０１６０】
図７に示されるように、本実施の形態１の第４変形例に係るＬポケット付きボトムズとしての綿パン１Ｅにおいては、収容部３Ｅと延出部３Ｆの間に伸縮性を有する生地からなる押え布１６を縫付けている。本実施の形態１の第４変形例においては、この押え布１６を構成する伸縮性を有する生地としてパワーネットを用いているが、スパンレックス、トリコット、ニット生地、ポリウレタンが１％から３０％混入されたポリウレタン混合生地、綿ストレッチ、バイアステープ（裏地、トリコット、等）、ゴムテープ、ストレッチサテン、ストレッチレース、等のその他の伸縮性を有する生地を用いても良い。
【０１６１】
このように、収容部３Ｅと延出部３Ｆの間に伸縮性を有する生地からなる押え布１６の上辺と下辺を縫付けることによって、主弾性材としてのゴムテープ１０が伸び縮みすることによるウエストベルト周辺の伸縮を妨げることなく、収容部３Ｅの開口部の一部を塞ぐことによって、ウエストベルト周辺が伸びた際においても、幅の細いゴムテープ１２Ａや収容部３Ｅの折り返し部分や芯材が見えるのを防ぐとともに、収容部３Ｅの開口部がめくれ難くなるため、使用者がこれらの部材を引っ張り出してしまうことも防止することができる。
【０１６２】
図７に示されるように、本実施の形態１の第４変形例に係る綿パン１Ｅにおいては、押え布１６を縫付け部分の形状に沿わせて裁断しているが、必ずしもこのような形状にする必要はなく、長方形でも正方形でも菱形や平行四辺形でも構わない。
【０１６３】
図８（ａ）には、本実施の形態１の第５変形例に係る綿パン１Ｈにおいて、押え布１６Ｈを長方形にした場合を示している。第５変形例においても、押え布１６Ｈはパワーネットで構成している。図８（ｂ）に示されるように、ウエストベルト周辺が伸びた際には、長方形の押え布１６Ｈは平行四辺形に変形して、矢印の方向に移動する延出部３Ｆに追従するため、ウエストベルト周辺の伸縮を妨げることなく、収容部３Ｅの開口部の一部を塞ぐことができる。
【０１６４】
このように、押え布１６Ｈを長方形にした場合においては、収容部３Ｅの縫い代部分に縫付けた上辺のステッチと、延出部３Ｆの折り返し部分に縫付けた下辺のステッチとの間の長さが、長ければ長いほど伸縮性が良くなり、収容部３Ｅに対して延出部３Ｆが動き易くなる。具体的には、主弾性材としてのゴムテープ１０の長さ及びそのゴムテープ１０の最大伸びを規制する伸び止め材１１による最大伸びに合わせて、最大伸び長さが長い場合は押え布１６Ｈの上下の長さも長くし、最大伸び長さが短い場合は押え布１６Ｈの上下の長さも短くすることができる。
【０１６５】
この長方形の押え布の寸法について、図９を参照して説明する。図９（ａ）に示される押え布１６Ｉは、長さが５ｃｍで上辺と下辺のステッチ間の幅が１．５ｃｍと短いため、ウエストベルト周辺の伸び長さ（伸び止め材１１によって規制されるゴムテープ１０の最大伸び）が１．５ｃｍ〜２．０ｃｍ程度の範囲内の場合に適している。図９（ｂ）に示される押え布１６Ｊは、長さが５ｃｍで上辺と下辺のステッチ間の幅が２．０ｃｍであるため、ウエストベルト周辺の伸び長さが２．０ｃｍ〜２．５ｃｍ程度の範囲内の場合に適している。
【０１６６】
更に、図９（ｃ）に示される押え布１６Ｋは、長さが５ｃｍで上辺と下辺のステッチ間の幅が２．５ｃｍと長いため、ウエストベルト周辺の伸び長さが２．５ｃｍ〜３．０ｃｍ程度の範囲内の場合に適している。そして、図９（ｄ）に示されるように、本実施の形態１の第５変形例に係る綿パン１Ｈにおいて、これらの三種類の押え布１６Ｉ，１６Ｊ，１６Ｋを用いた場合に、ステッチ間の幅が最も短い押え布１６Ｉの延出部３Ｆの折り返し部分に縫付けた下辺のステッチ１６Ｉａが、縫製した場合には最も下に来ることになる。
【０１６７】
このため、押え布１６Ｉを用いた場合が最も延出部３Ｆの折り返し部分がめくれ難く、押え布１６Ｊ，１６Ｋを用いた場合よりもめくれ防止という点からは好ましい。また、ステッチ間の幅が中間の押え布１６Ｊの延出部３Ｆの折り返し部分に縫付けた下辺のステッチ１６Ｊａが、縫製した場合には、押え布１６Ｋの下辺のステッチ１６Ｋａよりも下に来るため、押え布１６Ｋを用いた場合よりも押え布１６Ｊを用いた場合の方が、めくれ防止という点からは好ましい。
【０１６８】
ただし、小売店・需要者が延出部３Ｆの折り返し部分がめくれても美観を損ねないと判断する場合には、ウエストベルト周辺の伸び長さに関わらず押え布１６Ｋを用いることによって、ウエストベルト周辺の伸び長さが１．５ｃｍ〜３．０ｃｍ程度の広い範囲内の場合に対応できるため、これらの三種類の押え布１６Ｉ，１６Ｊ，１６Ｋの中では、押え布１６Ｋを用いるのが最も効率的である。
【０１６９】
次に、押え布を正方形や菱形にした場合のバリエーションについて、図１０を参照して説明する。図１０（ａ）に示されるように、略正方形にした押え布１６Ａにおいては、上辺ＡＣと下辺ＢＤの間をダブつかせて遊びを設けることによって、ウエストベルト周辺が伸びた際における押え布１６Ａの伸び（上辺ＡＣが図において右側へ引っ張られ、下辺ＢＤが図において左側へ引っ張られる。）を大きくしている。また、図１０（ｂ）に示されるように、略正方形にした押え布１６Ｂにおいては、左辺ＡＢと右辺ＣＤの間をいせ込んで（細かくダブらせて）、ウエストベルト周辺が伸びた際における押え布１６Ｂの伸びを大きくしている。
【０１７０】
更に、図１０（ｃ）に示されるように、略正方形にした押え布１６Ｃにおいては、上辺ＡＣと下辺ＢＤの間をダブつかせるとともに、左辺ＡＢと右辺ＣＤの間をいせ込んで、ウエストベルト周辺が伸びた際における押え布１６Ｃの伸びを、一段と大きくしている。また、図１０（ｄ）〜（ｆ）に示される押え布１６Ｄ，１６Ｅ，１６Ｆにおいては、略菱形（平行四辺形）に裁断することによって、左右方向の伸びを一層大きくしている。図１０（ｄ）に示されるように、押え布１６Ｄにおいては、上辺ＡＣと下辺ＢＤの間をダブつかせて遊びを設けることによって、ウエストベルト周辺が伸びた際における押え布１６Ａの伸びを大きくしている。
【０１７１】
また、図１０（ｅ）に示されるように、押え布１６Ｅにおいては、左辺ＡＢと右辺ＣＤの間をいせ込んで（細かくダブらせて）、ウエストベルト周辺が伸びた際における押え布１６Ｅの伸びを大きくしている。更に、図１０（ｆ）に示されるように、押え布１６Ｆにおいては、上辺ＡＣと下辺ＢＤの間をダブつかせるとともに、左辺ＡＢと右辺ＣＤの間をいせ込んで、ウエストベルト周辺が伸びた際における押え布１６Ｆの伸びを、一段と大きくしている。
【０１７２】
このようにして、図７（ｂ），図１０（ａ）〜（ｆ）に示されるように、押え布を長方形１６Ｈや正方形や菱形１６Ａ，１６Ｂ，１６Ｃ，１６Ｄ，１６Ｅ，１６Ｆにすることによって、裁断がより容易になり、大量生産に適した押え布となる。
【０１７３】
次に、本発明の実施の形態１の第６変形例及び第７変形例に係るＬポケット付きボトムズの内部構造について、図１１及び図１２を参照して説明する。図１１（ａ）に示されるように、上述した本実施の形態１の第１変形例に係るＬポケット付きボトムズとしての綿パン１Ｂにおいては、ウエストベルト周辺が伸びた際に幅の細いゴムテープ１２Ａやその縫付け部分が裏側に露出してしまうという問題とともに、収容部３Ｃの折り返し部分３Ｃｂが伸びるにしたがって下方へ下がってしまうという問題があった。
【０１７４】
この問題は、図７に示されるように、押え布１６，１６Ｈを縫付けることによって解決されるが、図７（ｂ），図１０（ａ）〜（ｆ）に示されるように、押え布を長方形や正方形や菱形にすることによって裁断がより容易になるといっても、押え布を貼り付ける作業は手間が掛かり、どちらかというと高級品向きである。
【０１７５】
そこで、押え布を縫付けた場合のような目覚しい効果はないが、より大量生産に適した方法として、図１１（ｂ），（ｃ）に示されるように、収容部３Ｃの折り返し部分３Ｃｂをストッパーテープ１７，１７Ａによって延出部３Ｄで引き上げるようにしたものが、本実施の形態１の第６変形例及び第７変形例に係るＬポケット付きボトムズとしての綿パン１Ｆ，１Ｇである。
【０１７６】
本実施の形態１の第６変形例に係るＬポケット付きボトムズとしての綿パン１Ｆにおいては、図１１（ｂ）に示されるように、ウエストベルト周辺が伸びていない状態において、左側（収容部３Ｃ側、即ち脇側）に傾いた状態で、ストッパーテープ１７が上端を延出部３Ｄの内側に２本のステッチ１７ａで、下端を収容部３Ｃの折り返し部分３Ｃｂに２本のステッチ１７ｂで、それぞれ縫付けられて取付けられる。
【０１７７】
ストッパーテープ１７は伸縮性のない生地としての綿テープからなり、したがって、ウエストベルト周辺が伸びて延出部３Ｄが図で右側に収容部３Ｃが図で左側に移動すると、ストッパーテープ１７は一旦緩んだ状態になるが（ステッチ１７ａがステッチ１７ｂの真上に来たとき）、その地点を通過するとまた折り返し部分３Ｃｂを引き上げるように作用するため、ウエストベルト周辺が伸び切った際には折り返し部分３Ｃｂはストッパーテープ１７で引き上げられて、図１１（ａ）に示されるように下がることが防止される。
【０１７８】
一方、図１１（ｃ）に示されるように、本実施の形態１の第７変形例に係るＬポケット付きボトムズとしての綿パン１Ｇにおいては、ウエストベルト周辺が伸びていない状態において、ストッパーテープ１７Ａがほぼ垂直な状態で、上端を延出部３Ｄの内側に２本のステッチ１７ａで、下端を収容部３Ｃの折り返し部分３Ｃｂに２本のステッチ１７ｂで、それぞれ縫付けられて取付けられる。
【０１７９】
ストッパーテープ１７Ａも伸縮性のない生地としての綿テープからなるが、長さが収容部３Ｃの幅３．５ｃｍよりも長く、ステッチ１７ａとステッチ１７ｂの間で弛んでいる。したがって、ウエストベルト周辺が伸びて延出部３Ｄが図で右側に収容部３Ｃが図で左側に移動すると、ストッパーテープ１７Ａは図で右側に傾いて行き、それに伴ってストッパーテープ１７Ａの弛み部分が伸びてぴんと張り、折り返し部分３Ｃｂがストッパーテープ１７Ａで引き上げられて、図１１（ａ）に示されるように折り返し部分３Ｃｂが下がることが防止される。
【０１８０】
この本実施の形態１の第７変形例に係る綿パン１Ｇにおけるストッパーテープの長さのバリエーションについて、図１２を参照して説明する。図１２（ａ）はストッパーテープの長さのゆとり分（弛み分）を０．９ｃｍ取った場合を示しており、図１２（ｂ）はストッパーテープの長さのゆとり分（弛み分）を０．４ｃｍ取った場合を示している。なお、図１２においては、説明の便宜のため、実際の内部構造と異なり、ストッパーテープの上端が縫付けられる延出部３Ｄと下端が縫付けられる収容部３Ｃとを合体させた状態で描いている。
【０１８１】
図１２（ａ）の左端に示されるストッパーテープ１７Ｂは、長さが３．９ｃｍであり、収容部の幅が３．０ｃｍであるから、０．９ｃｍ分の弛みが生ずる。このストッパーテープ１７Ｂは、上端が延出部の上端から０．５ｃｍ下がった位置において２本のステッチ１７ｂによって縫付けられ、下端が収容部の下端に１．５ｃｍの縫い代を貫通して２本のステッチ１７ｂによって縫付けられる。したがって、上下のステッチ１７ｂの間は３．４ｃｍあり、０．９ｃｍ弛んでいる。
【０１８２】
図１２（ａ）の中央に示されるストッパーテープ１７Ｃも長さが３．９ｃｍであり、収容部の幅が３．０ｃｍであるから、０．９ｃｍ分の弛みが生ずる。このストッパーテープ１７Ｃは、上端が延出部の上端から０．５ｃｍ下がった位置において２本のステッチ１７ｃによって縫付けられ、下端が収容部の下端から０．５ｃｍ上がった位置において１．５ｃｍの縫い代を貫通して２本のステッチ１７ｃによって縫付けられる。したがって、上下のステッチ１７ｃの間は２．９ｃｍあり、０．９ｃｍ弛んでいる。
【０１８３】
図１２（ａ）の右端に示されるストッパーテープ１７Ｄも長さが３．９ｃｍであり、収容部の幅が３．０ｃｍであるから、０．９ｃｍ分の弛みが生ずる。このストッパーテープ１７Ｄは、上端が延出部の上端から０．５ｃｍ下がった位置において２本のステッチ１７ｄによって縫付けられ、下端が収容部の下端から１．０ｃｍ上がった位置において１．５ｃｍの縫い代を貫通して２本のステッチ１７ｄによって縫付けられる。したがって、上下のステッチ１７ｄの間は２．４ｃｍあり、０．９ｃｍ弛んでいる。
【０１８４】
この中でも、特に図１２（ａ）の右端に示されるストッパーテープ１７Ｄの場合に、見栄えも良く、最も良好な引き上げ効果を得ることができた。即ち、１．５ｃｍの縫い代のより上の方で縫い止めた場合の方が縫い代のヒラつきがなくなり、良好な引き上げ効果をも得ることができる。
【０１８５】
また、図１２（ｂ）の左端に示されるストッパーテープ１７Ｅは、長さが３．４ｃｍであり、収容部の幅が３．０ｃｍであるから、０．４ｃｍ分の弛みが生ずる。このストッパーテープ１７Ｅは、上端が延出部の上端から０．５ｃｍ下がった位置において２本のステッチ１７ｅによって縫付けられ、下端が収容部の下端に１．５ｃｍの縫い代を貫通して２本のステッチ１７ｅによって縫付けられる。したがって、上下のステッチ１７ｅの間は２．９ｃｍあり、０．４ｃｍ弛んでいる。
【０１８６】
図１２（ｂ）の中央に示されるストッパーテープ１７Ｆも長さが３．４ｃｍであり、収容部の幅が３．０ｃｍであるから、０．４ｃｍ分の弛みが生ずる。このストッパーテープ１７Ｆは、上端が延出部の上端から０．５ｃｍ下がった位置において２本のステッチ１７ｆによって縫付けられ、下端が収容部の下端から０．５ｃｍ上がった位置において１．５ｃｍの縫い代を貫通して２本のステッチ１７ｆによって縫付けられる。したがって、上下のステッチ１７ｆの間は２．４ｃｍあり、０．４ｃｍ弛んでいる。
【０１８７】
図１２（ｃ）の右端に示されるストッパーテープ１７Ｇも長さが３．４ｃｍであり、収容部の幅が３．０ｃｍであるから、０．４ｃｍ分の弛みが生ずる。このストッパーテープ１７Ｇは、上端が延出部の上端から０．５ｃｍ下がった位置において２本のステッチ１７ｇによって縫付けられ、下端が収容部の下端から１．０ｃｍ上がった位置において１．５ｃｍの縫い代を貫通して２本のステッチ１７ｇによって縫付けられる。したがって、上下のステッチ１７ｇの間は１．９ｃｍあり、０．４ｃｍ弛んでいる。
【０１８８】
この中でも、特に図１２（ｂ）の右端に示されるストッパーテープ１７Ｇの場合に、見栄えも良く、最も良好な引き上げ効果を得ることができた。即ち、１．５ｃｍの縫い代のより上の方で縫い止めた場合の方が縫い代のヒラつきがなくなり、良好な引き上げ効果をも得ることができる。
【０１８９】
更に、図示していないが、収容部の幅が図１２（ａ），（ｂ）と同じく３．０ｃｍで、縫い代が１．０ｃｍの場合には、ストッパーテープの下端を収容部の下端から０．７ｃｍ上がった位置において１．０ｃｍの縫い代を貫通して２本のステッチによって縫付けた場合に、見栄えも良く、最も良好な引き上げ効果を得ることができた。以上の結果より、ストッパーテープの長さが同じ場合には、下端を収容部の縫い代のできるだけ上の方で縫い付ける方が良いことが分かった。
【０１９０】
なお、本実施の形態１の第６変形例及び第７変形例においては、ストッパーテープ１７，１７Ａ，１７Ｂ，１７Ｃ，１７Ｄ，１７Ｅ，１７Ｆ，１７Ｇの素材として綿テープを用いた場合について説明したが、これに限られるものではなく、伸縮性のない素材であれば、サテンテープ、リボンテープを始めとして種々の素材からなるテープを用いることができる。
【０１９１】
このようにして、本実施の形態１に係るＬポケット付きボトムズとしての綿パン１，１Ａ，１Ｂ，１Ｃ，１Ｄ，１Ｅ，１Ｆ，１Ｇ，１Ｈにおいては、見栄え・美観を損なうことなく、Ｌポケット２の前中心ＦＣよりの側に延出部３Ｂ，３Ｃと収容部３Ａ，３Ｄの境界線を位置させてウエストサイズを伸縮自在とすることができる。なお、本実施の形態１においては、Ｌポケット２の袋布５の表側に綿パン１の前身頃４と共地の綿生地からなる当て布１４を縫付けているが、前身頃４の素材や厚さによってはＬポケット２の袋布５自体を前身頃４と共地の綿生地から構成しても良い。
【０１９２】
実施の形態２
次に、本発明の実施の形態２に係るＬポケット付きボトムズについて、図１３を参照して説明する。図１３（ａ）は本発明の実施の形態２に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の実施の形態２の変形例に係る綿パンの左Ｌポケットの外縁の伸縮構造を表側から見て示す説明図である。
【０１９３】
本実施の形態２に係るＬポケット付きボトムズとしての綿パン２１は、前身頃のベルト部の近傍に左右１対のＬポケット２２を有しており、これらのＬポケット２２のポケット口外縁２２Ａの前中心ＦＣよりの部分（外縁２２Ａの上部）の近傍に、ベルト部の見掛け上の長さを伸縮自在としたウエスト周り伸縮自在構造を有している。即ち、実施の形態１と同様に、ベルト部には左右１対のＬポケット２２のポケット口外縁２２Ａの近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されることによって、ベルト部の見掛け上の長さを伸縮自在としている。
【０１９４】
これによって、ベルト部３に引っ張り力が掛かっていない場合には、図１３（ａ）に示されるようにＬポケット２２の外縁２２Ａの上部が収容部２３Ａの縁と一致しており、ベルト部２３に引っ張り力が掛かってウエスト周りが伸びると、図１３（ｂ）に示されるようにＬポケット２２の外縁２２Ａの上部も延出部２３Ｂと一体に移動して、Ｌポケット２２の周囲にシワ等を生ずることなくＬポケット２２の外縁２２Ａが滑らかに変形する。これは、Ｌポケット２２の外縁２２Ａが伸縮性を有しているからである。
【０１９５】
このＬポケット２２の外縁２２Ａに伸縮性を持たせる縫製方法について、図１３（ｃ），（ｄ）を参照して説明する。まず、図１３（ｃ）に示されるように、綿パン２１の前身頃２４の表側にＬポケット２２の外縁２２Ａの形状に合わせて裁断した袋布の生地２５を、地縫い２６によって縫付け、次に外縁２２Ａの中央部に切欠き２２Ｂを設ける。そして、図１３（ｄ）に示されるように、外縁２２Ａの上部をほぼ垂直に立てながら外縁中央部の切欠き２２Ｂを縮めた状態として、この状態で外縁中央部の上から伸縮性を有する生地としての帯状のパワーネット２７を、地縫い２６の縫い目に沿って縫付ける。
【０１９６】
なお、本実施の形態２においては、地縫い２６の縫代を最初から０．５ｃｍと小さく取ったため、実施の形態１のように外縁２２Ａの縁を切り落とす作業の必要がなくなるが、実施の形態１と同様に地縫い２６の縫代を１．０ｃｍ取っておいて、帯状のパワーネット２７を縫付けた後に外縁２２Ａの縁を切り落とす方法を採っても良い。
【０１９７】
後は、実施の形態１の図２（ｅ）に示されるのと同様に、袋布２５を地縫い２６の部分で折り返して、袋布２５を向こう側、即ち綿パン２１の裏側にひっくり返す。そして、図２（ｆ）に示されるように新しいＬポケット２２の外縁２２Ａに沿ってダブルステッチ２８を掛けることによって、外縁中央部が伸縮自在なＬポケット２２の構造が完成する。
【０１９８】
このように、本実施の形態２においては、外縁２２Ａの中央部に切欠き２２Ｂを設けることによって外縁２２Ａの中央部が伸縮自在なＬポケット２２としているため、実施の形態１のようにスチームアイロンでプレスする工程を省くことができ、より容易に短時間でＬポケット２２の外縁２２Ａに伸縮性を持たせることができる。なお、切欠き２２Ｂは１つに限られるものではなく、図１３（ｅ）に示されるように、３ヵ所に切欠き２２Ｂを設けてこれら３ヵ所の切欠き２２Ｂを縮めた状態として、この状態で外縁中央部の上から伸縮性を有する生地としての帯状のパワーネット２７を、地縫い２６の縫い目に沿って縫付けることもできる。
【０１９９】
これによって、ウエスト周り伸縮自在構造によってウエスト周りが伸びて延出部２３Ｂが収容部２３Ａから抜き出される方向に移動する際に、Ｌポケット２２の外縁上部２２Ａａも前中心ＦＣ方向に引っ張られるが、外縁中央部２２Ａｂが上述したように伸縮自在の構造になっているため滑らかに伸びて追従し、Ｌポケット２２の周辺に図３７に示されるような従来のようなシワ５５がよったりして見栄えを損ねることもない。
【０２００】
そして、ウエスト周りを伸ばそうとする力が解除されると、延出部２３Ｂと収容部２３Ａとの間に両端が接続された主弾性材としてのゴムテープ１０によって再び延出部２３Ｂが収容部２３Ａ内に収容される方向に移動するが、この際にもＬポケット２２の外縁中央部２２Ａｂが伸縮自在の構造になっているため滑らかに縮んで追従し、綺麗にもとの状態に復帰する。このように、本実施の形態２に係るＬポケット付きボトムズとしての綿パン２１においては、従来不可能とされてきたＬポケット付きボトムズにウエスト周り伸縮自在構造を付加することを、簡単な構造によって可能としたものである。
【０２０１】
このようにして、本実施の形態２に係るＬポケット付きボトムズとしての綿パン２１においては、見栄え・美観を損なうことなく、Ｌポケット２２の前中心ＦＣよりの側に延出部２３Ｂと収容部２３Ａの境界線を位置させてウエストサイズを伸縮自在とすることができる。なお、本実施の形態２においても、Ｌポケット２２の袋布２５の表側に綿パン２１の前身頃２４と共地の綿生地からなる当て布を縫付けているが、前身頃２４の素材や厚さによってはＬポケット２２の袋布２５自体を前身頃２４と共地の綿生地から構成しても良い。
【０２０２】
実施の形態３
次に、本発明の実施の形態３に係るＬポケット付きボトムズについて、図１４を参照して説明する。図１４（ａ）は本発明の実施の形態３に係るＬポケット付きボトムズとしての綿パンの左Ｌポケットとその近傍のウエスト周りが縮んだ状態を示す部分拡大図、（ｂ）はウエスト周りが伸びた状態を示す部分拡大図である。
【０２０３】
本実施の形態３に係るＬポケット付きボトムズとしての綿パン３１は、前身頃のベルト部の近傍に左右１対のＬポケット３２を有しており、これらのＬポケット３２のポケット口外縁３２Ａの前中心ＦＣよりの部分（外縁３２Ａの上部）の近傍に、ベルト部の見掛け上の長さを伸縮自在としたウエスト周り伸縮自在構造を有している。即ち、実施の形態１，２と同様に、ベルト部には左右１対のＬポケット３２のポケット口外縁３２Ａの近傍に、収容部３３Ａとその収容部３３Ａ内に挿入される延出部３３Ｂからなる重ね合せ部が形成されており、延出部３３Ｂの先端と収容部３３Ａとが収容部３３Ａ内において主弾性材としてのゴムテープで接続されることによって、ベルト部の見掛け上の長さを伸縮自在としている。
【０２０４】
これによって、ベルト部３３に引っ張り力が掛かっていない場合には、図１４（ａ）に示されるようにＬポケット３２の外縁３２Ａの上部が収容部３３Ａの縁と一致しており、ベルト部３３に引っ張り力が掛かってウエスト周りが伸びると、図１４（ｂ）に示されるようにＬポケット３２の外縁３２Ａの上部も延出部３３Ｂと一体に移動して、Ｌポケット３２の周囲にシワ等を生ずることなくＬポケット３２の外縁３２Ａが滑らかに変形する。この理由は、図１４（ａ）に示されるように、Ｌポケット３２の外縁３２Ａをベルト部３３に接する上部から下部にいくに従って前中心方向ＦＣに突出するように湾曲した形状としたためである。
【０２０５】
これによって、ウエスト周り伸縮自在構造によってウエスト周りが伸びて延出部３３Ｂが収容部３３Ａから抜き出される方向に移動する際に、Ｌポケット３２の外縁３２Ａの上部も前中心ＦＣの方向に引っ張られるが、外縁３２Ａの中央部が外縁３２Ａの上部よりも前中心ＦＣの方向に突出しているため外縁３２Ａの上部が滑らかに追従することができ、Ｌポケット３２の周辺に従来のようなシワがよったりして見栄えを損ねることがない。
【０２０６】
更に、外縁３２Ａの中央部を長さ方向に縮めた状態で裏側からアイロン等によりプレスしたり、外縁３２Ａの中央部に１以上の切欠きを入れて切欠きを縮めた状態で上から伸縮性を有する生地を帯状に縫付けたりする必要がなく、生地の形状を変えるだけで良いため製造工程がより一層簡単になりより短時間で製造することができる。
【０２０７】
そして、ウエスト周りを伸ばそうとする力が解除されると、延出部３３Ｂと収容部３３Ａとの間に両端が接続された主弾性材としてのゴムテープによって再び延出部３３Ｂが収容部３３Ａ内に収容される方向に移動するが、この際にもＬポケット３２の外縁３２Ａの上部が滑らかに追従することができ、綺麗にもとのＬポケット３２の形状に復帰する。このように、本実施の形態３に係るＬポケット付きボトムズとしての綿パン３１においては、従来不可能とされてきたＬポケット付きボトムズにウエスト周り伸縮自在構造を付加することを、極めて簡単な構造によって可能としたものである。
【０２０８】
このようにして、本実施の形態３に係るＬポケット付きボトムズとしての綿パン３１においては、見栄え・美観を損なうことなく、Ｌポケット３２の前中心ＦＣよりの側に延出部３３Ｂと収容部３３Ａの境界線を位置させてウエストサイズを伸縮自在とすることができる。なお、本実施の形態３においても、Ｌポケット３２の袋布３５の表側に綿パン３１の前身頃３４と共地の綿生地からなる当て布を縫付けているが、前身頃３４の素材や厚さによってはＬポケット３２の袋布３５自体を前身頃３４と共地の綿生地から構成しても良い。
【０２０９】
実施の形態４
次に、本発明の実施の形態４に係るＬポケット付きボトムズについて、図１５乃至図１８を参照して説明する。図１５（ａ）は従来のウエスト伸縮機構付きのフォーマルなズボン（スーツのズボン等）における脇ポケットにタックを設けた場合を裏側から見て示す部分拡大図、（ｂ）は脇ポケットにパイピングを設けた場合を裏側から見て示す部分拡大図である。
【０２１０】
図１６（ａ）は本発明の実施の形態４に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。図１７（ａ）は本発明の実施の形態４の第１変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。図１８（ａ）は本発明の実施の形態４の第２変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【０２１１】
図１５（ａ）に示されるように、従来のウエスト伸縮機構付きのフォーマルなズボン１０１Ａにおいては、ストレートなポケット口を有する脇ポケットの袋布１０５の中間にタック１０４を設けて、このタック１０４の部分にウエスト伸縮機構を構成する収容部１０３Ａと延出部１０３Ｂの境界線を位置させて、延出部１０３Ｂの移動に従ってタック１０４が開くことによって、脇ポケットの袋布１０５が捩れたりして表側に響いて見栄えが悪くなるのを防止していた。
【０２１２】
また、別の方法としては、図１５（ｂ）に示されるように、従来のウエスト周り伸縮自在構造付きのフォーマルなズボン１０１Ｂにおいて、袋布１０５の中間にパイピング１０６を施した分割部分を設けて、延出部１０３Ｂの移動に従ってパイピング１０６を施した分割部分が開くことによって、脇ポケットの袋布１０５が捩れたりして表側に響いて見栄えが悪くなるのを防止していた。
【０２１３】
しかしながら、係るフォーマルなズボン１０１Ａ，１０１Ｂにおいては、ストレートなポケット口は脇線１０２の表側に位置しているため、表側において収容部１０３Ａの縁とポケット口とが一致せず、見栄えが悪くなるため収容部１０３Ａの縁をベルト通しで隠す必要があった。また、これらのタック１０４やパイピング１０６は袋布１０５の中間に設けなければならないため、位置決めが難しいという問題点があった。
【０２１４】
これに対して、図１６（ａ）に示されるように、本実施の形態４に係るＬポケット付きボトムズとしての綿パン６１においては、Ｌポケットの袋布６５の前中心ＦＣの側の端の折り返し部分の上部にタック６６を設けており、このタック６６の部分にウエスト周り伸縮自在構造を構成する収容部６３Ａと延出部６３Ｂの境界線を位置させている。従って、タック６６を形成する場合の位置決めが極めて容易であり、またＬポケットの外縁６２Ａの上部は、表側における収容部６３Ａの端と一致しているため、ベルト通しで隠さなくても美観を損ねることはない。
【０２１５】
そして、ウエスト伸縮機構によって延出部６３Ｂが移動する場合には、図１６（ｂ）に示されるように、それに伴ってＬポケットの袋布６５が移動するのに従ってタック６６が開くため、Ｌポケットの袋布６５が捩れたり引きつったりすることがなく、係る捩れや引きつりが表側に響いて見栄えを損ねることが確実に防止される。ここで、タック６６の襞の幅はウエスト周り伸縮自在構造により伸縮する分より大きいことが好ましい。これによって、Ｌポケット付きボトムズ６１のウエスト周りがウエスト周り伸縮自在構造の一杯まで伸びた場合においても、タック６６が余裕を持って開くことができるために引っ張り力を確実に逃がすことができる。
【０２１６】
係るタック６６を設けたＬポケットの袋布６５の構造は、単独でも十分にＬポケット付きボトムズとしての綿パン６１のウエスト周りが伸縮する際に、引っ張り力を逃がすことができて、表から見たＬポケット６２の周囲にシワ等を生ずることを効果的に防止することができる。また、上記実施の形態１乃至実施の形態３に係るＬポケット付きボトムズとしての綿パン１，２１，３１におけるＬポケットの外縁の構造と併用した場合には、Ｌポケット付きボトムズ１，２１，３１のウエスト周りが伸縮する際に表から見たＬポケットの周囲にシワ等を生ずることを、より一層効果的に防止することができる。
【０２１７】
また、図１７（ａ）に示されるように、本実施の形態４の第１変形例に係るＬポケット付きボトムズとしての綿パン６１Ａにおいては、Ｌポケットの袋布６５の前中心ＦＣの側の端の折り返し部分の上部を余らせることによって襞のないタック６７を設けており、このタック６７の部分にウエスト周り伸縮自在構造を構成する収容部６３Ａと延出部６３Ｂの境界線を位置させている。従って、タック６７を形成する場合の位置決めが極めて容易であり、またＬポケットの外縁６２Ａの上部は、表側における収容部６３Ａの端と一致しているため、ベルト通しで隠さなくても美観を損ねることはない。
【０２１８】
そして、ウエスト伸縮機構によって延出部６３Ｂが移動する場合には、図１７（ｂ）に示されるように、それに伴ってＬポケットの袋布６５が移動するのに従ってタック６７が開くため、Ｌポケットの袋布６５が捩れたり引きつったりすることがなく、係る捩れや引きつりが表側に響いて見栄えを損ねることが確実に防止される。ここで、タック６７の開く幅はウエスト周り伸縮自在構造により伸縮する分より大きいことが好ましい。これによって、Ｌポケット付きボトムズ６１Ａのウエスト周りがウエスト周り伸縮自在構造の一杯まで伸びた場合においても、タック６７が余裕を持って開くことができるために引っ張り力を確実に逃がすことができる。
【０２１９】
係るタック６７を設けたＬポケットの袋布６５の構造は、単独でも十分にＬポケット付きボトムズとしての綿パン６１Ａのウエスト周りが伸縮する際に、引っ張り力を逃がすことができて、表から見たＬポケット６２の周囲にシワ等を生ずることを効果的に防止することができる。また、上記実施の形態１乃至実施の形態３に係るＬポケット付きボトムズとしての綿パン１，２１，３１におけるＬポケットの外縁の構造と併用した場合には、Ｌポケット付きボトムズ１，２１，３１のウエスト周りが伸縮する際に表から見たＬポケットの周囲にシワ等を生ずることを、より一層効果的に防止することができる。
【０２２０】
また、図１８（ａ）に示されるように、本実施の形態４の第２変形例に係るＬポケット付きボトムズとしての綿パン６１Ｂにおいては、Ｌポケットの袋布６５の前中心ＦＣの側の端を折り返しでなく接ぎ合わせる構造としているが、この接ぎ合わせ部分６９の上部を接ぎ合わせずに残すことによって分割部分６８としており、この分割部分６８にウエスト周り伸縮自在構造を構成する収容部６３Ａと延出部６３Ｂの境界線を位置させている。従って、分割部分６８を形成する場合の位置決めが極めて容易であり、またＬポケットの外縁６２Ａの上部は、表側における収容部６３Ａの端と一致しているため、ベルト通しで隠さなくても美観を損ねることはない。
【０２２１】
そして、ウエスト伸縮機構によって延出部６３Ｂが移動する場合には、図１８（ｂ）に示されるように、それに伴ってＬポケットの袋布６５が移動するのに従って分割部分６８が開くため、Ｌポケットの袋布６５が捩れたり引きつったりすることがなく、係る捩れや引きつりが表側に響いて見栄えを損ねることが確実に防止される。ここで、分割部分６８の開く幅はウエスト周り伸縮自在構造により伸縮する分より大きいことが好ましい。これによって、Ｌポケット付きボトムズ６１Ｂのウエスト周りがウエスト周り伸縮自在構造の一杯まで伸びた場合においても、分割部分６８が余裕を持って開くことができるために引っ張り力を確実に逃がすことができる。
【０２２２】
係る分割部分６８を設けたＬポケットの袋布６５の構造は、単独でも十分にＬポケット付きボトムズとしての綿パン６１Ｂのウエスト周りが伸縮する際に、引っ張り力を逃がすことができて、表から見たＬポケット６２の周囲にシワ等を生ずることを効果的に防止することができる。また、上記実施の形態１乃至実施の形態３に係るＬポケット付きボトムズとしての綿パン１，２１，３１におけるＬポケットの外縁の構造と併用した場合には、Ｌポケット付きボトムズ１，２１，３１のウエスト周りが伸縮する際に表から見たＬポケットの周囲にシワ等を生ずることを、より一層効果的に防止することができる。
【０２２３】
このようにして、本実施の形態４に係るＬポケット付きボトムズとしての綿パン６１，６１Ａ，６１Ｂにおいては、見栄え・美観を損なうことなく、Ｌポケット６２の前中心ＦＣよりの側に延出部６３Ｂと収容部６３Ａの境界線を位置させてウエストサイズを伸縮自在とすることができる。なお、本実施の形態４においても、Ｌポケット６２の袋布６５の表側に綿パン６１，６１Ａ，６１Ｂの前身頃６４と共地の綿生地からなる当て布を縫付けているが、前身頃６４の素材や厚さによってはＬポケット６２の袋布６５自体を前身頃６４と共地の綿生地から構成しても良い。
【０２２４】
実施の形態５
次に、本発明の実施の形態５に係るＬポケット付きボトムズについて、図１９及び図２０を参照して説明する。図１９は本発明の実施の形態５に係るＬポケット付きボトムズの要部裏面の縫製途中の構成を示す部品展開図である。図２０は本発明の実施の形態５の変形例に係るＬポケット付きボトムズの要部裏面の縫製途中の構成を示す部品展開図である。
【０２２５】
図１９に示されるように、本実施の形態５に係るＬポケット付きボトムズとしての綿パン７１は、Ｌポケット７２の袋布７５の前中心側の折り返し部分７５ａの上部に切り込みを入れて分割し、その分割部分に沿ってパイピング７６を施したことを特徴とするものである。なお、図１９は左側のＬポケット７２の近傍を綿パン７１の裏側から見て示したものである。収容部７３Ａを構成するベルト布７３Ａａは綿パン７１の前身頃７４と共地の綿生地であり、延出部７３Ｂを構成するベルト布７３Ｂａも綿パン７１の前身頃７４と共地の綿生地である。また、収容部７３Ａを構成するベルト布７３Ａａの内側には、延出部７３Ｂの滑りを良くするために、裏地８３が貼り付けられている。これら延出部８３Ｂの先端と収容部８３Ａの内側とが、収容部８３Ａの内部において主弾性材としての幅の広いゴムテープ８０によって接続されている。
【０２２６】
更に、ゴムテープ８０には伸縮性のない生地からなる帯状の伸び止め材８１が縫付けられており、ゴムテープ８０に引っ張り力が掛かっても、この伸び止め材８１が折り畳まれている長さまでしか伸びることができない。これによって、ゴムテープ８０が過度に伸びるのを防止して、ゴムテープ８０が長持ちするようにしている。本実施の形態５に係るＬポケット付きボトムズとしての綿パン７１においては、伸び止め材８１の折り畳み部分の長さを約３ｃｍとして、ウエスト周りの伸縮長さを約３ｃｍとしている。
【０２２７】
また、図１９に示されるように、Ｌポケット７２の袋布７５のパイピング部分７６と延出部７３Ｂの内面とを補助弾性材としての幅の細いゴムテープ８２で接続しており、これによってパイピング部分７６を上方へ引き上げて支持している。更に、図１９に破線で示されるように、Ｌポケット７２の袋布７５の表側には、想像線で示されるＬポケットの外縁７２Ａの外側に袋布７５の生地が見えるのを防ぐために、綿パン７１の前身頃７４と共地の綿生地からなる当て布８４が当て布ステッチ８５によって縫付けられている。
【０２２８】
このような構造を有する収容部７３Ａを輪にして下端で閉じるとともに、収容部７３Ａの下端にＬポケットの袋布７５の側を縫付け、延出部７３Ｂを閉じるとともに延出部７３Ｂの下端にＬポケットの外縁７２Ａを形成する綿パン７１の前身頃７４の側を縫付ける。
【０２２９】
このように、本実施の形態５に係るＬポケット付きボトムズとしての綿パン７１においては、ウエスト周り伸縮自在構造を構成する延出部７３Ｂと収容部７３Ａの重ね合せ部がＬポケット７２の前中心ＦＣよりの外縁７２Ａの近傍に位置するため、収容部７３Ａの端がＬポケット７２の前中心ＦＣよりの外縁７２Ａとスムーズにつながるような外見となり、収容部７３Ａの端を隠さなくとも美観を損なうことがない。
【０２３０】
そして、ウエスト伸縮機構によって延出部７３Ｂが移動する場合には、それに伴ってＬポケットの袋布７５が移動するのに従ってパイピング７６を施した分割部分が開くため、Ｌポケットの袋布７５が捩れたり引きつったりすることがなく、係る捩れや引きつりが表側に響いて見栄えを損ねることが確実に防止される。ここで、分割部分７６の開く幅はウエスト周り伸縮自在構造により伸縮する分より大きいことが好ましい。これによって、Ｌポケット付きボトムズ７１のウエスト周りがウエスト周り伸縮自在構造の一杯まで伸びた場合においても、分割部分７６が余裕を持って開くことができるために引っ張り力を確実に逃がすことができる。
【０２３１】
係る分割部分７６を設けたＬポケットの袋布７５の構造は、単独でも十分にＬポケット付きボトムズとしての綿パン７１のウエスト周りが伸縮する際に、引っ張り力を逃がすことができて、表から見たＬポケット７２の周囲にシワ等を生ずることを効果的に防止することができる。また、上記実施の形態１乃至実施の形態３に係るＬポケット付きボトムズとしての綿パン１，２１，３１におけるＬポケットの外縁の構造と併用した場合には、Ｌポケット付きボトムズ１，２１，３１のウエスト周りが伸縮する際に表から見たＬポケットの周囲にシワ等を生ずることを、より一層効果的に防止することができる。
【０２３２】
次に、本実施の形態５の変形例に係るＬポケット付きボトムズのウエスト周り伸縮自在構造について、図２０を参照して説明する。図２０に示されるように、本実施の形態５の変形例に係るＬポケット付きボトムズとしての綿パン７１Ａのウエスト周り伸縮自在構造は、図１９とほぼ同一であるため、同一部分には同一の符号を付して説明を省略する。図２０が図１９と異なるのは、補助弾性材としての幅の細いゴムテープ８２Ａが、Ｌポケット７２の袋布７５の上端と延出部７３Ｂの内面とを接続するのではなく、Ｌポケット７２の袋布７５の上端と綿パン７１Ａの前身頃７４の裏側の縫代とを接続している点である。
【０２３３】
このように、Ｌポケット７２の袋布７５の上端と綿パン７１Ａの前身頃７４の裏側の縫代とを補助弾性材としての幅の細いゴムテープ８２Ａで接続しており、これによってウエスト周り伸縮自在構造によって延出部７３Ｂが移動する際にＬポケット７２の袋布７５の形状が崩れたりして見栄えが悪くなるのを防ぐ働きをしている。更に、図１９に示されるように幅の細いゴムテープ８２の一端を延出部７３Ｂの内面に縫付けるよりも、図２０に示されるように幅の細いゴムテープ８２Ａの一端を前身頃７４の裏側の縫代に縫付けるほうが容易であるという利点が得られる。
【０２３４】
このようにして、本実施の形態５に係るＬポケット付きボトムズとしての綿パン７１，７１Ａにおいては、見栄え・美観を損なうことなく、Ｌポケット７２の前中心ＦＣよりの側に延出部７３Ｂと収容部７３Ａの境界線を位置させてウエストサイズを伸縮自在とすることができる。なお、本実施の形態５においても、Ｌポケット７２の袋布７５の表側に綿パン７１，７１Ａの前身頃７４と共地の綿生地からなる当て布を縫付けているが、前身頃７４の素材や厚さによってはＬポケットの袋布７５自体を前身頃７４と共地の綿生地から構成しても良い。
【０２３５】
実施の形態６
次に、本発明の実施の形態６に係るＬポケット付きボトムズについて、図２１乃至図２６を参照して説明する。
【０２３６】
図２１は本発明の実施の形態６に係るＬポケット付きボトムズのＬポケット袋布生地の形状を示す説明図である。図２２（ａ）〜（ｄ）は本発明の実施の形態６に係るＬポケット付きボトムズのＬポケット袋布生地の型紙の作り方を示す説明図、（ｅ）はその型紙によって作製したＬポケット袋布生地を示す説明図である。図２３（ａ）〜（ｄ）は本発明の実施の形態６の第１変形例に係るＬポケット付きボトムズのＬポケット袋布生地の型紙の作り方を示す説明図、（ｅ）はその型紙によって作製したＬポケット袋布生地を示す説明図である。
【０２３７】
図２４（ａ）〜（ｄ）は本発明の実施の形態６の第２変形例に係るＬポケット付きボトムズのＬポケット袋布生地の型紙の作り方を示す説明図、（ｅ）はその型紙によって作製したＬポケット袋布生地を示す説明図である。図２５（ａ）〜（ｄ）は本発明の実施の形態６の第３変形例に係るＬポケット付きボトムズのＬポケット袋布生地の型紙の作り方を示す説明図、（ｅ）はその型紙によって作製したＬポケット袋布生地を示す説明図である。図２６（ａ）〜（ｃ）は本発明の実施の形態６の第４変形例に係るＬポケット付きボトムズのＬポケット袋布生地の型紙の作り方を示す説明図である。
【０２３８】
前述したように、通常のＬポケット袋布を取付けたＬポケット付きボトムズに、図３，図４，図１９，図２０に示されるような収容部３Ａ，７３Ａと延出部３Ｂ，７３Ｂを幅の広いゴムテープ１０，８０で接続してなるウエスト周り伸縮自在構造を設けた場合、ウエスト周りが伸びて幅の広いゴムテープ１０，８０に引っ張り力が掛かった際に、延出部３Ｂ，７３Ｂが移動するのに伴って通常のＬポケット袋布にも引っ張り力が掛かり、袋布が捩れたり引きつったりするため、これらの捩れや引きつりがＬポケット付きボトムズの表側に響いて見栄えを損なってしまう。
【０２３９】
そこで、本実施の形態６に係るＬポケット付きボトムズにおいては、図２１に示されるように、想像線で示される通常のＬポケット袋布のライン３５Ｂから、引っ張り力によって捩れる分を予め見込んだ特殊なＬポケット袋布のライン３５Ａとして、このようなライン３５Ａを有するＬポケット袋布生地３５をＬポケット付きボトムズの前身頃に縫付ける。
【０２４０】
これによって、ウエスト周りが伸びて幅の広いゴムテープに引っ張り力が掛かり、延出部が移動するのに伴ってＬポケット袋布生地３５に引っ張り力が掛かっても、Ｌポケット袋布生地３５が変形することによってその引っ張り力を逃がすことができ、捩れや引きつりがＬポケット付きボトムズの表側に響いて見栄えを損なうのを確実に防止することができる。このようなＬポケット付きボトムズによれば、Ｌポケット袋布生地３５の型紙を変えるだけで、後は通常のＬポケット付きボトムズの縫製工程によって製造することができるので、コストアップにもならず、製造工程も短縮することができる。
【０２４１】
係るＬポケット袋布生地３５を縫付けたＬポケットの袋布の構造は、単独でも十分にＬポケット付きボトムズのウエスト周りが伸縮する際に引っ張り力を逃がすことができて、表から見たＬポケットの周囲にシワ等を生ずることを効果的に防止することができる。また、上記実施の形態１乃至実施の形態３に係るＬポケット付きボトムズとしての綿パン１，１Ａ，２１，３１におけるＬポケットの外縁の構造と併用した場合には、Ｌポケット付きボトムズ１，１Ａ，２１，３１のウエスト周りが伸縮する際に表から見たＬポケットの周囲にシワ等を生ずることを、より一層効果的に防止することができる。
【０２４２】
このようなＬポケット袋布生地３５の型紙の作製方法について、図２２を参照して説明する。図２２（ａ）に示されるのは、通常のＬポケット袋布生地の型紙３５ａであり、中心線ＣＬは通常のＬポケット袋布生地及び型紙３５ａの折り返し線に当たる。図２２（ｂ）に示されるように、この通常のＬポケット袋布生地の型紙３５ａを中心線ＣＬで折り返して、図２２（ｃ）に示されるように、想像線で示される通常のＬポケット袋布のライン３５Ｂから、最大で約０．５ｃｍ斜めに切り落として特殊なＬポケット袋布のライン３５Ａとして、型紙３５ｂとする。
【０２４３】
続いて、図２２（ｄ）に示されるように、この型紙３５ｂを開いて上端の破線で示される通常のＬポケット袋布のライン３５Ｂから、最大で約０．５ｃｍ斜めに切り落として特殊なＬポケット袋布のライン３５Ａとするとともに、下端の破線で示される通常のＬポケット袋布のライン３５Ｂに最大で約０．５ｃｍの幅だけ斜めに継ぎ足して特殊なＬポケット袋布のライン３５Ａとして、型紙３５ｃとする。これによって、本実施の形態６に係るＬポケット付きボトムズのＬポケット袋布生地の型紙３５ｃが完成するので、この型紙３５ｃに沿って生地を裁断して、図２２（ｅ）に示されるように特殊なＬポケット袋布のライン３５Ａを有するＬポケット袋布生地３５が得られる。
【０２４４】
次に、本実施の形態６の第１変形例に係るＬポケット付きボトムズのＬポケット袋布生地の型紙の作製方法について、図２３を参照して説明する。図２３（ａ）に示されるのは、通常のＬポケット袋布生地の型紙３５ａであり、中心線ＣＬは通常のＬポケット袋布生地及び型紙３５ａの折り返し線に当たる。図２３（ｂ）に示されるように、この通常のＬポケット袋布生地の型紙３５ａを中心線ＣＬで折り返して、図２３（ｃ）に示されるように、破線で示される通常のＬポケット袋布のライン３６Ｂから、最大で約０．５ｃｍ斜めに切り落として、特殊なＬポケット袋布のライン３６Ａとして、型紙３６ａとする。
【０２４５】
続いて、図２３（ｄ）に示されるように、この型紙３６ａを開いて下端の破線で示される通常のＬポケット袋布のライン３６Ｂに最大で約０．５ｃｍの幅だけ斜めに継ぎ足して特殊なＬポケット袋布のライン３６Ａとして、型紙３６ｂとする。これによって、本実施の形態６の第１変形例に係るＬポケット付きボトムズのＬポケット袋布生地の型紙３６ｂが完成するので、この型紙３６ｂに沿って生地を裁断して、図２３（ｅ）に示されるように特殊なＬポケット袋布のライン３６Ａを有するＬポケット袋布生地３６が得られる。
【０２４６】
この本実施の形態６の第１変形例においては、下端に最大で約０．５ｃｍの幅だけ斜めに継ぎ足しているのみで、上端を切り落としていないため、図２３（ｅ）に示されるようにＬポケット袋布生地３６を縫付けたときに、上側の生地が余って波（シワ）ができる。しかし、この部分はＬポケット付きボトムズの内部に隠れて表面からは見えないため、見栄えを損ねる恐れはない。
【０２４７】
そして、このように特殊なＬポケット袋布のライン３６Ａを有するＬポケット袋布生地３６とすることによって、ウエスト周りが伸びて幅の広いゴムテープに引っ張り力が掛かり、延出部が移動するのに伴ってＬポケット袋布生地３６に引っ張り力が掛かっても、Ｌポケット袋布生地３６が変形することによってその引っ張り力を逃がすことができ、捩れや引きつりがＬポケット付きボトムズの表側に響いて見栄えを損なうのを確実に防止することができる。
【０２４８】
次に、本実施の形態６の第２変形例に係るＬポケット付きボトムズのＬポケット袋布生地の型紙の作製方法について、図２４を参照して説明する。図２４（ａ）に示されるのは、通常のＬポケット袋布生地の型紙３５ａであり、中心線ＣＬは通常のＬポケット袋布生地及び型紙３５ａの折り返し線に当たる。図２４（ｂ）に示されるように、この通常のＬポケット袋布生地の型紙３５ａを中心線ＣＬで折り返して、図２４（ｃ）に示されるように、折り返し線を中心線ＣＬから左側にずらして実線３７Ｃで折り返す。
【０２４９】
そして、図２４（ｄ）に示されるように、型紙３５ａを開いて、ずらした折り返し線３７Ｃにほぼ垂直になるように、上端を破線で示される通常のＬポケット袋布のライン３７Ｂから、最大で約０．５ｃｍ斜めに切り落として、特殊なＬポケット袋布のライン３７Ａとして、型紙３７ａとする。これによって、本実施の形態６の第２変形例に係るＬポケット付きボトムズのＬポケット袋布生地の型紙３７ａが完成するので、この型紙３７ａに沿って生地を裁断して、図２４（ｅ）に示されるように特殊なＬポケット袋布のライン３７Ａを有するＬポケット袋布生地３７が得られる。
【０２５０】
この本実施の形態６の第２変形例においては、上端を最大で約０．５ｃｍの幅だけ斜めに切り落としているため、図２４（ｅ）に示されるようにＬポケット袋布生地３７を縫付けたときに、上側の生地が突っ張って吊りジワができる。しかし、この部分はＬポケット付きボトムズの内部に隠れて表面からは見えないため、見栄えを損ねる恐れはない。
【０２５１】
そして、このように特殊なＬポケット袋布のライン３７Ａを有するＬポケット袋布生地３７とすることによって、ウエスト周りが伸びて幅の広いゴムテープに引っ張り力が掛かり、延出部が移動するのに伴ってＬポケット袋布生地３７に引っ張り力が掛かっても、Ｌポケット袋布生地３７が変形することによってその引っ張り力を逃がすことができ、捩れや引きつりがＬポケット付きボトムズの表側に響いて見栄えを損なうのを確実に防止することができる。
【０２５２】
次に、本実施の形態６の第３変形例に係るＬポケット付きボトムズのＬポケット袋布生地の型紙の作製方法について、図２５を参照して説明する。図２５（ａ）に示されるのは、通常のＬポケット袋布生地の型紙３５ａであり、中心線ＣＬは通常のＬポケット袋布生地及び型紙３５ａの折り返し線に当たる。図２５（ｂ）に示されるように、この通常のＬポケット袋布生地の型紙３５ａを中心線ＣＬで折り返して、図２５（ｃ）に示されるように、折り返し線を中心線ＣＬから右側にずらして実線３８Ｃで折り返す。
【０２５３】
そして、図２５（ｄ）に示されるように、型紙３５ａを開いて、ずらした折り返し線３８Ｃにほぼ垂直になるように、上端を破線で示される通常のＬポケット袋布のライン３８Ｂから、向こう布の上端に揃えるように最大で約０．５ｃｍ斜めに継ぎ足して、特殊なＬポケット袋布のライン３８Ａとして、型紙３８ａとする。これによって、本実施の形態６の第３変形例に係るＬポケット付きボトムズのＬポケット袋布生地の型紙３８ａが完成するので、この型紙３８ａに沿って生地を裁断して、図２５（ｅ）に示されるように特殊なＬポケット袋布のライン３８Ａを有するＬポケット袋布生地３８が得られる。
【０２５４】
この本実施の形態６の第３変形例においては、上端を最大で約０．５ｃｍの幅だけ斜めに継ぎ足しているため、図２５（ｅ）に示されるようにＬポケット袋布生地３８を縫付けたときに、上側の生地が余って波（シワ）が生ずる。しかし、この部分はＬポケット付きボトムズの内部に隠れて表面からは見えないため、見栄えを損ねる恐れはない。
【０２５５】
そして、このように特殊なＬポケット袋布のライン３８Ａ，３８Ｃを有するＬポケット袋布生地３８とすることによって、ウエスト周りが伸びて幅の広いゴムテープに引っ張り力が掛かり、延出部が移動するのに伴ってＬポケット袋布生地３８に引っ張り力が掛かっても、Ｌポケット袋布生地３８が変形することによってその引っ張り力を逃がすことができ、捩れや引きつりがＬポケット付きボトムズの表側に響いて見栄えを損なうのを確実に防止することができる。
【０２５６】
次に、本実施の形態６の第４変形例に係るＬポケット付きボトムズのＬポケット袋布生地の型紙の作製方法について、図２６を参照して説明する。図２６（ａ）に示されるのは、通常のＬポケット袋布生地の型紙３５ａを中心線３９Ｃで折り返した状態である。ここで、図２６（ｂ）に示されるように、型紙３５ａを中心線３９Ｃで切り離して、手前側の端３９Ｄを右側へずらし、中心線３９Ｃと手前側の端３９Ｄの間を継ぎ足し部分３９Ｅで埋め、型紙３９ａとする。
【０２５７】
そして、図２６（ｃ）に示されるように、想像線で示される通常のＬポケット袋布のライン３９Ｂから、向こう布の上端に揃えるように最大で約０．５ｃｍ斜めに継ぎ足して、特殊なＬポケット袋布のライン３９Ａとして、型紙３９ｂとする。この型紙３９ｂに沿って生地を裁断して得られるＬポケット袋布生地は、図２３（ｅ），図２５（ｅ）と同様に上側の生地が余って波（シワ）が生ずる。しかし、この部分はＬポケット付きボトムズの内部に隠れて表面からは見えないため、見栄えを損ねる恐れはない。
【０２５８】
そして、このように特殊なＬポケット袋布のライン３９Ａを有するＬポケット袋布生地とすることによって、ウエスト周りが伸びて幅の広いゴムテープに引っ張り力が掛かり、延出部が移動するのに伴ってＬポケット袋布生地に引っ張り力が掛かっても、Ｌポケット袋布生地が変形することによってその引っ張り力を逃がすことができ、捩れや引きつりがＬポケット付きボトムズの表側に響いて見栄えを損なうのを確実に防止することができる。
【０２５９】
このようにして、本実施の形態６に係るＬポケット付きボトムズにおいては、見栄え・美観を損なうことなく、Ｌポケットの前中心よりの側に延出部と収容部の境界線を位置させてウエストサイズを伸縮自在とすることができる。なお、本実施の形態６に係るＬポケット付きボトムズにおいては、引っ張り力によって捩れる分を予め見込んだ特殊なＬポケット袋布のライン３５Ａ，３６Ａ，３７Ａ，３８Ａ，３９Ａを有するＬポケット袋布生地３５，３６，３７，３８をＬポケット付きボトムズの前身頃に縫付けているが、前中心側の端においてＬポケット袋布生地の縁をカットしてＬポケット付きボトムズの前身頃に縫付けることによっても、同様な作用効果を得ることができる。
【０２６０】
実施の形態７
次に、本発明の実施の形態７に係るＬポケット付きボトムズについて、図２７を参照して説明する。図２７（ａ）は本発明の実施の形態７に係るＬポケット付きボトムズの右Ｌポケット近傍を表側から見て示す部分拡大図、（ｂ）は右Ｌポケット近傍を裏側から見て示す部分拡大図である。
【０２６１】
図２７（ａ）に示されるように、上記各実施の形態においては、延出部が前中心ＦＣ側に設けられており、延出部を収容する収容部が両脇側に設けられていたが、本実施の形態７に係るＬポケット付きボトムズとしての綿パン４１においては、逆に収容部４３Ａが前中心ＦＣ側に設けられており、延出部４３Ｂが両脇側に設けられている。図３，図４，図１９，図２０に示されるように、収容部３Ａ，７３Ａ内には主弾性材としての幅の広いゴムテープ１０，８０が縫付けられ、その他端には延出部３Ｂ，７３Ｂの先端が縫付けられ、更にその延出部３Ｂ，７３Ｂの先端を収容して隠さなくてはならないため、収容部３Ａ，７３Ａには長さが必要であり、ベルト部の前中心ＦＣ側に設けるのは困難であると思われていた。
【０２６２】
即ち、図１（ａ）に示されるように、Ｌポケット付きボトムズとしての綿パン１やＧパン等のカジュアルなボトムズは、ベルト部の前中心ＦＣ近傍にボタンとボタン穴とをそれぞれ設けて前開き部分を係合させる場合が多いため、ベルト部の前中心ＦＣ側に収容部を設けようとするとボタンをかがる部分とボタン穴を開ける部分は主弾性材を縫付けることができないため、長さが足りなくなると考えられていた。
【０２６３】
しかしながら、本発明者は、鋭意実験研究の結果、ベルト部の前中心ＦＣ側にも工夫次第では収容部４３Ａを設けることが可能であることを見出し、この知見に基づいて本実施の形態７に係る綿パン４１を製造することに成功したものである。本実施の形態７に係る綿パン４１においては、主弾性材としてのゴムテープの長さを上記各実施の形態におけるものより短くして限られた前中心ＦＣ側の収容部４３Ａ内に収め、伸び止め材の長さは余り短くせずに伸縮長さを同程度に確保したものである。
【０２６４】
このようにして、本実施の形態７に係るＬポケット付きボトムズとしての綿パン４１においては、見栄え・美観を損なうことなく、Ｌポケット４２の前中心ＦＣよりの側に延出部４３Ｂと収容部４３Ａの境界線を位置させてウエストサイズを伸縮自在とすることができる。
【０２６５】
実施の形態８
次に、本発明の実施の形態８に係るＬポケット付きボトムズについて、図２８乃至図３０を参照して説明する。図２８（ａ）は本発明の実施の形態８に係るＬポケット付きボトムズのＬポケット近傍を表から見て示す部分拡大図、（ｂ）は本発明の実施の形態８の第１変形例に係るＬポケット付きボトムズのＬポケット近傍を表から見て示す部分拡大図、（ｃ）は本発明の実施の形態８の第２変形例に係るＬポケット付きボトムズのＬポケット近傍の構造を展開して示す説明図である。
【０２６６】
図２９（ａ）は本発明の実施の形態８の第３変形例に係るＬポケット付きボトムズのＬポケット近傍の構造を展開して示す説明図、（ｂ）は本発明の実施の形態８の第４変形例に係るＬポケット付きボトムズのＬポケット近傍の構造を展開して示す説明図である。図３０（ａ）は本発明の実施の形態８の第５変形例に係るＬポケット付きボトムズのＬポケット近傍を表から見て示す部分拡大図、（ｂ）は本発明の実施の形態８の第６変形例に係るＬポケット付きボトムズのＬポケット近傍を表から見て示す部分拡大図である。
【０２６７】
図２８（ａ）に示されるように、本実施の形態８に係るＬポケット付きボトムズとしての綿パン９０Ａにおいては、ベルト部の収容部９１側の上下にベルトステッチ９１ａを掛けた場合であって、延出部９２の先端が細くなっている。このように延出部９２の先端が細くなっていることによって、主弾性材１０の弾性力によって延出部９２が収容部９１内に出入りする場合に、よりスムーズに移動することができるが、本実施の形態８においては収容部９１側の上下にベルトステッチ９１ａが掛かっているために、収容部９１内が狭くなっている。したがって、収容部９１の幅を３．５ｃｍとした場合には、延出部９２の最大部分の幅を３．３ｃｍとして、延出部９２が収容部９１内に容易に出入りできるようにしている。
【０２６８】
図２８（ｂ）に示されるように、本実施の形態８の第１変形例に係るＬポケット付きボトムズとしての綿パン９０Ｂにおいては、ベルト部の収容部９１Ａ側の上下にベルトステッチ９１ａを掛けた場合であって、延出部９１Ｂの幅は一定となっている。このように延出部９１Ｂの幅を一定とした場合でも、収容部９１Ａの幅を３．５ｃｍとして延出部９１Ｂの幅を３．３ｃｍとすれば、延出部９１Ｂが収容部９１Ａ内に容易に出入りすることができる。
【０２６９】
図２８（ｃ）に示されるように、本実施の形態８の第２変形例に係るＬポケット付きボトムズとしての綿パン９０Ｃは、ベルト部の収容部９３Ａ側の上下にベルトステッチを掛けないものである。したがって、収容部９３Ａを閉じて縫付けたときの幅と延出部９３Ｂを閉じて縫付けたときの幅はほぼ同じ（生地の厚さの分だけ僅かに収容部９３Ａの幅が大きい）となっている。このように、ベルトステッチを掛けない場合には、収容部９３Ａの幅と延出部９３Ｂの幅をほぼ同じとしても、延出部９３Ｂが収容部９３Ａ内に容易に出入りすることができる。
【０２７０】
次に、本実施の形態８の第３変形例及び第４変形例に係るＬポケット付きボトムズについて、図２９を参照して説明する。図２９（ａ），（ｂ）に示される第３変形例及び第４変形例に係るＬポケット付きボトムズとしての綿パン９４，９５は、いずれも上記図２８（ａ），（ｂ）に示されるＬポケット付きボトムズとしての綿パン９０Ａ，９０Ｂと同様に、収容部側の上下にベルトステッチ９１ａを掛ける場合を示したものである。
【０２７１】
したがって、図２９（ａ）に示されるように、本実施の形態８の第３変形例に係るＬポケット付きボトムズとしての綿パン９４においては、延出部９６の幅を３．３ｃｍとして収容部９７の幅を３．５ｃｍとしている。ここで、図２９（ａ）に示されるように、延出部９６の裏側の折り返し部分９６ａを斜めに深く作製している。これによって、延出部９６が収容部９７から出入りする場合に、動きが悪くなるのを防止している。
【０２７２】
また、図２９（ａ）に示されるように、本実施の形態８の第３変形例に係るＬポケット付きボトムズとしての綿パン９４においては、延出部９６の表側の折り返し部分９６ｂを約０．２ｃｍ斜めにカットしている。これによって、収容部９７の上下にベルトステッチ９１ａを掛ける際に、延出部９６の表側の折り返し部分９６ｂをもベルトステッチ９１ａで縫い止めてしまう恐れがなく、大量生産でベルトステッチ９１ａを掛ける場合に適している。
【０２７３】
また、図２９（ｂ）に示されるように、本実施の形態８の第４変形例に係るＬポケット付きボトムズとしての綿パン９５においても、延出部９８の幅を３．３ｃｍとして収容部９７の幅を３．５ｃｍとしている。そして、図２９（ｂ）に示されるように、延出部９８の裏側の折り返し部分９８ａを斜めに深く作製している。これによって、延出部９８が収容部９７から出入りする場合に、動きが悪くなるのを防止している。
【０２７４】
一方、図２９（ｂ）に示されるように、本実施の形態８の第４変形例に係るＬポケット付きボトムズとしての綿パン９５においては、延出部９８の表側の折り返し部分９８ｂをカットしていない。これによって、着用した場合に、延出部９８の表側の折り返し部分９８ｂがカットされていないため、表側から見た目が自然であるという利点が得られる。即ち、本実施の形態８の第３変形例に係る綿パン９４は大量生産に適しており、第４変形例に係る綿パン９５は、小ロット生産の高級品向きであるということができる。
【０２７５】
更に、図２９（ａ），（ｂ）に示される第３変形例及び第４変形例に係るＬポケット付きボトムズとしての綿パン９４，９５においては、延出部９６，９８の裏側の折り返し部分９６ａ，９８ａを極端に斜めに深く作製したことによって、延出部の裏側の折り返し部分を緩く斜めに作製した場合（折り返し部分９６ａ，９８ａの先端の長さが長い場合）に比較して、折り返し部分９６ａ，９８ａにシワが入り難く摺動し易いという利点が得られる。
【０２７６】
次に、本実施の形態８の第５変形例及び第６変形例に係るＬポケット付きボトムズについて、図３０を参照して説明する。図３０（ａ），（ｂ）に示される第５変形例及び第６変形例に係るＬポケット付きボトムズとしての綿パン１１０Ａ，１１０Ｂは、上述した本実施の形態８に係るＬポケット付きボトムズ９０Ａ，第１変形例に係るＬポケット付きボトムズ９０Ｂと、本実施の形態８の第２変形例に係るＬポケット付きボトムズ９０Ｃとの違いを分かり易く比較して示したものである。
【０２７７】
即ち、図３０（ａ）に示されるように、本実施の形態８の第５変形例に係るＬポケット付きボトムズとしての綿パン１１０Ａは、上記Ｌポケット付きボトムズ９０Ｃと同様にベルト部の収容部１１２Ａ側の上下にベルトステッチを掛けないものである。したがって、収容部１１２Ａを閉じて縫付けたときの幅と延出部１１１Ａを閉じて縫付けたときの幅はほぼ同じ（生地の厚さの分だけ僅かに収容部１１２Ａの幅が大きい）となっている。このように、ベルトステッチを掛けない場合には、収容部１１２Ａの幅と延出部１１１Ａの幅をほぼ同じとしても、延出部１１１Ａが収容部１１２Ａ内に容易に出入りすることができる。
【０２７８】
これに対して、図３０（ｂ）に示されるように、本実施の形態８の第６変形例に係るＬポケット付きボトムズとしての綿パン１１０Ｂは、上記Ｌポケット付きボトムズ９０Ａ，９０Ｂと同様にベルト部の収容部１１２Ｂ側の上下にベルトステッチ９１ａを掛けたものである。したがって、収容部１１２Ｂの幅を３．５ｃｍとした場合には、延出部１１１Ｂの最大部分の幅を３．３ｃｍとして、延出部１１１Ｂが収容部１１２Ｂ内に容易に出入りできるようにしている。
【０２７９】
以上説明したように、本実施の形態８に係るＬポケット付きボトムズとしての綿パン９０Ａ，９０Ｂ，９０Ｃ，９４，９５，１１０Ａ，１１０Ｂにおいては、ベルト部の収容部側の上下にベルトステッチを掛ける場合と掛けない場合とでは、収容部の幅と延出部の幅とを変化させて延出部がスムーズに収容部内に出入りできるようにしている。このようにして、本実施の形態８に係るＬポケット付きボトムズ９０Ａ，９０Ｂ，９０Ｃ，９４，９５，１１０Ａ，１１０Ｂにおいては、見栄え・美観を損なうことなく、Ｌポケット２の前中心ＦＣよりの側に延出部と収容部の境界線を位置させてウエストサイズを伸縮自在とすることができる。
【０２８０】
実施の形態９
次に、本発明の実施の形態９に係るＬポケット付きボトムズについて、図３１及び図３２を参照して説明する。
【０２８１】
図３１（ａ）は本発明の実施の形態９に係るＬポケット付きボトムズのＬポケット近傍のベルト部分の内部構造を展開して示す部分展開拡大図、（ｂ）は本発明の実施の形態９に係るＬポケット付きボトムズのＬポケット近傍を表から見て示す部分拡大図、（ｃ）は本発明の実施の形態９に係るＬポケット付きボトムズのＬポケット近傍を表から見て更に拡大して示す部分拡大図である。図３２（ａ）は本発明の実施の形態９の変形例に係るＬポケット付きボトムズのＬポケット近傍のベルト部分の内部構造を展開して示す部分展開拡大図、（ｂ）は本発明の実施の形態９の変形例に係るＬポケット付きボトムズのＬポケット近傍を表から見て示す部分拡大図である。
【０２８２】
図３１（ａ）に示されるように、本実施の形態９に係るＬポケット付きボトムズとしてのＧパン（ジーンズ）１１５においては、収容部９３Ａの内側にソフト芯１１８Ａとハード芯１１９Ａが貼り付けられており、延出部９３Ｂの内側にもソフト芯１１８Ｂとハード芯１１９Ｂが貼り付けられている。延出部９３Ｂの先端近傍には、主弾性材としてのゴムテープ１０の一方の端が、伸び止め材１１７の一方の端とともに縫付けられている。
【０２８３】
更に、伸び止め材１１７がゴムテープ１０の伸びる許容範囲の長さだけ（例えば、２ｃｍ）弛みを付けて、ゴムテープ１０の他方の端とともに接着布芯１１６に縫付けられ、この接着布芯１１６は接着剤でハード芯１１９Ａを中心に、ソフト芯１１８Ａの一部にも跨って接着される。そして、伸び止め材１１７の他方の端は、２本のステッチ１１７ａによって接着布芯１１６、ハード芯１１９Ａとともにベルト布を貫通して縫付けられる。したがって、２本のステッチ１１７ａはＧパン１１５の表側から見えることになる。
【０２８４】
しかしながら、図３１（ｂ）に示されるように、Ｇパン１１５にはベルト通し１１３，１１４を始めとして、全部で５ヵ所にベルト通しが取り付けられる。このうち、ベルト通し１１４が２本のステッチ１１７ａの丁度真上に位置するように取り付けられ、したがって２本のステッチ１１７ａはベルト通し１１４に隠れて表から見えなくなるので、Ｇパン１１５の美観が損なわれることはない。
【０２８５】
即ち、Ｌポケット付きボトムズにおいて、従来はベルト通しが全周で７ヵ所に付けられていたのが、近年はベルト通しを全周で５ヵ所に取り付けるのが主流になってきたため、ベルト通し１１３とベルト通し１１４との間隔が長くなる傾向にある。このような場合でも、２本のステッチ１１７ａをベルト通し１１３から離れたベルト通し１１４で隠せるようにするために、図３１（ａ）に示されるように、伸び止め材１１７の端を延長したものである。
【０２８６】
そして、接着布芯１１６を設けたのは、特にＧパン１１５の場合にはバイオ洗い（バイオ加工）によって、酵素で布地の表面を瞬間的に壊してケバを取ったり、軽石を入れて洗うことによって佩き古されたヴィンテージジーンズの感じを出したりすることが多いため、係るバイオ洗いの衝撃に耐えられるように収容部９３Ａを補強することが目的である。このようなバイオ洗い（バイオ加工）は、Ｇパン（ジーンズ）のみでなく、綿パンやチノパン等の他のカジュアルなＬポケット付きボトムズに対しても実施される。
【０２８７】
更に、図３１（ｃ）に示されるように、ベルト通し１１３は、収容部９３Ａの上下のベルトステッチ９３ａによって縫い付けられる。即ち、まずベルト通し１１３の下端が収容部９３ＡとＬポケット２の袋布との間に挟み込まれた状態で、下側のベルトステッチ９３ａによってベルト通し１１３の下端が縫い付けられ、ベルト通し１１３を図３１（ｃ）に示されるように起き上がらせた状態で上側のベルトステッチ９３が掛けられることによって、ベルト通し１１３の上端が縫付けられる。
【０２８８】
このようにして、本実施の形態９に係るＬポケット付きボトムズとしてのＧパン（ジーンズ）１１５においては、接着布芯１１６によって収容部９３Ａが補強されてバイオ洗いの衝撃にも耐えられるとともに、図３１（ｂ）に示されるように伸び止め材１１７の端を止めるステッチ１１７ａがベルト通し１１４で隠され、図３１（ｃ）に示されるように収容部９３Ａの出口がベルト通し１１３で隠されるため、見栄えの良いＬポケット付きボトムズとなる。
【０２８９】
次に、本実施の形態９の変形例に係るＬポケット付きボトムズとしてのＧパン（ジーンズ）１１５Ａについて、図３２を参照して説明する。図３２（ａ）に示されるように、本実施の形態９の変形例に係るＧパン１１５Ａの構造は、図３１（ａ）に示される本実施の形態９に係るＧパン１１５と殆ど同じなので、同一部分には同一の符号を付して説明を省略する。
【０２９０】
本実施の形態９の変形例に係るＧパン１１５Ａが本実施の形態９に係るＧパン１１５と異なるのは、接着布芯１１６が設けられていない点のみである。したがって、バイオ洗い（バイオ加工）に対して収容部９３Ａを補強する効果はないが、上述したように、近年はベルト通しを全周で５ヵ所に取り付けるのが主流になってきたことから、伸び止め材１１７の端をゴムテープ１０の端に縫付けたのでは、その縫付けたステッチがＧパン１１５Ａの表側から見えることになり、図３２（ｂ）に示されるように、ベルト通し１１３とベルト通し１１４との間隔が長いため、ベルト通し１１４で隠すこともできない。
【０２９１】
そこで、図３２（ａ）に示されるように、伸び止め材１１７の端を延長してゴムテープ１０の設定された最大伸び分（例えば、２ｃｍ）だけ弛ませて、伸び止め材１１７の中間部分をゴムテープ１０の端に２本のステッチ１１７ｂで縫付け、そして延長された伸び止め材１１７の端を２本のステッチ１１７ａで、ハード芯１１９Ａを貫通して収容部９３Ａに縫付けている。したがって、２本のステッチ１１７ａはＧパン１１５Ａの表側に出ることになるが、図３２（ｂ）に示されるように、ベルト通し１１４の真下に来るように縫付けられるため、ベルト通し１１４で隠されて、美観を損ねることはない。
【０２９２】
このようにして、本実施の形態９の変形例に係るＬポケット付きボトムズとしてのＧパン（ジーンズ）１１５Ａにおいては、図３２（ｂ）に示されるように伸び止め材１１７の端を止めるステッチ１１７ａがベルト通し１１４で隠されるため、見栄えの良いＬポケット付きボトムズとなる。
【０２９３】
実施の形態１０
次に、本発明の実施の形態１０に係るＬポケット付きボトムズについて、図３３及び図３４を参照して説明する。
【０２９４】
図３３（ａ）は本発明の実施の形態１０に係るＬポケット付きボトムズのＬポケット近傍のベルト部分の内部構造を展開して示す部分展開拡大図、（ｂ）は本発明の実施の形態１０の第１変形例に係るＬポケット付きボトムズのＬポケット近傍のベルト部分の生地の裁断形状を示す部分拡大図、（ｃ）は本発明の実施の形態１０の第１変形例に係るＬポケット付きボトムズのＬポケット近傍のベルト部分の内部構造を展開して示す部分展開拡大図である。
【０２９５】
図３４（ａ）は本発明の実施の形態１０の第２変形例に係るＬポケット付きボトムズのＬポケット近傍のベルト部分の内部構造を展開して示す部分展開拡大図、（ｂ）は本発明の実施の形態１０の第３変形例に係るＬポケット付きボトムズのＬポケット近傍のベルト部分の生地の裁断形状を示す部分拡大図、（ｃ）は本発明の実施の形態１０の第３変形例に係るＬポケット付きボトムズのＬポケット近傍のベルト部分の内部構造を展開して示す部分展開拡大図である。
【０２９６】
図３３，図３４に示されるように、本実施の形態１０に係るＬポケット付きボトムズ１２０，１２０Ａ，１２５，１２５Ａにおいては、伸び止め材を延出部１２２，１２６のベルト布と共地にして、一体化していることを特徴としている。即ち、図３３（ａ）に示されるように、本実施の形態１０に係るＬポケット付きボトムズ１２０においては、主弾性材としてのゴムテープ１０の伸びを規制する伸び止め材を別に設ける代わりに、延出部１２２の左端を延長することによって、伸び止め材と同じ役割を果たすストッパー部分１２２ａとしている。
【０２９７】
ストッパー部分１２２ａの左端は、ゴムテープ１０の左端とともに、２本のステッチ１２２ｂによって、収容部１２１に縫付けられている。したがって、２本のステッチ１２２ｂは収容部１２１の表側から見えるが、Ｌポケット付きボトムズ１２０には７本のベルト通しが取付けられており、Ｌポケットの近傍にあるベルト通しから近い距離に設けられた隣のベルト通しによって、２本のステッチ１２２ｂを覆い隠すようになっている。したがって、Ｌポケット付きボトムズ１２０の見栄えが損なわれることはない。
【０２９８】
一方、図３３（ｂ）に示されるように、本実施の形態１０の第１変形例に係るＬポケット付きボトムズ１２０Ａにおいては、同様に延出部１２３の左端を延長することによって、伸び止め材と同じ役割を果たすストッパー部分１２４としているが、ストッパー部分１２２ａのように裁ち切りではなく、上下に折り返し部分１２４ａを設けている。この折り返し部分１２４ａを矢印に示されるように折り返して、図３３（ｃ）に示されるように上下にステッチ１２４ｂを掛けて止めている。
【０２９９】
これによって、上記実施の形態１０に係るＬポケット付きボトムズ１２０における作用効果に加えて、ストッパー部分１２４の上下の縁が裁ち切りではなく、折り返されてステッチ１２４ｂで止められているため、多数回洗濯を繰り返した場合でも裁ち切りの場合のように縁からほつれて弱くなってくるような恐れがなく、極めて丈夫なストッパー部分１２４となるという作用効果が得られる。
【０３００】
次に、図３４（ａ）に示されるように、本実施の形態１０の第２変形例に係るＬポケット付きボトムズ１２５においては、５本のベルト通しが取付けられている。したがって、Ｌポケットの近傍にあるベルト通しの隣のベルト通しは離れた位置にあるため、伸び止め材と同じ役割を果たすストッパー部分１２６ａを、主弾性材としてのゴムテープ１０の左端よりも更に延長して、隣のベルト通しで２本のステッチ１２６ｃを覆い隠せるようにしている。なお、ゴムテープ１０の左端とストッパー部分１２６ａの中間部分を縫い止める２本のステッチ１２６ｂは、収容部１２１には縫付けられていないため、表側から見えることはない。
【０３０１】
一方、図３４（ｂ）に示されるように、本実施の形態１０の第３変形例に係るＬポケット付きボトムズ１２５Ａにおいては、上記実施の形態１０の第２変形例に係るＬポケット付きボトムズ１２５と同様に、延出部１２７の左端を更に延長することによって、伸び止め材と同じ役割を果たすストッパー部分１２８としているが、ストッパー部分１２６ａのように裁ち切りではなく、上下に折り返し部分１２８ａを設けている。この折り返し部分１２８ａを矢印に示されるように折り返して、図３４（ｃ）に示されるように上下にステッチ１２８ｂを掛けて止めている。
【０３０２】
これによって、上記実施の形態１０の第２変形例に係るＬポケット付きボトムズ１２５における作用効果に加えて、ストッパー部分１２８の上下の縁が裁ち切りではなく、折り返されてステッチ１２８ｂで止められているため、多数回洗濯を繰り返した場合でも裁ち切りの場合のように縁からほつれて弱くなってくるような恐れがなく、極めて丈夫なストッパー部分１２８となるという作用効果が得られる。
【０３０３】
このように、本実施の形態１０に係るＬポケット付きボトムズ１２０，１２０Ａ，１２５，１２５Ａにおいては、伸び止め材の役割をするストッパー部分１２２ａ，１２４，１２６ａ，１２８を、延出部１２２，１２３，１２６，１２７のベルト布と共地にして一体化しているため、縫製工程が簡略化されてより容易に縫製することができることから、低コスト化を図ることができる。
【０３０４】
実施の形態１１
次に、本発明の実施の形態１１に係るＬポケット付きボトムズについて、図３５を参照して説明する。図３５（ａ）は本発明の実施の形態１１に係るＬポケット付きボトムズの全体構造を示す正面図、（ｂ）は本発明の実施の形態１１の第１変形例に係るＬポケット付きボトムズの全体構造を示す正面図、（ｃ）は本発明の実施の形態１１の第２変形例に係るＬポケット付きボトムズの全体構造を示す正面図である。
【０３０５】
図３５に示されるように、本実施の形態１１に係るＬポケット付きボトムズは、上記各実施の形態に係るＬポケット付きボトムズとして綿パンの場合について説明したのに対して、スカートの場合について説明するものである。即ち、図３５（ａ）は本実施の形態１１に係るＬポケット付きボトムズとしてのキュロットスカート４７を、（ｂ）は本実施の形態１１の第１変形例に係るＬポケット付きボトムズとしてのタイトスカート４８を、（ｃ）は本実施の形態１１の第２変形例に係るＬポケット付きボトムズとしての前開きのタイトスカート４９を、それぞれ示している。
【０３０６】
なお、本実施の形態１１に係るＬポケット付きボトムズとしてのキュロットスカート４７、タイトスカート４８、タイトスカート４９のＬポケット及びその外縁、並びにウエスト伸縮自在構造の構成は、図１乃至図４に示される実施の形態１に係る綿パン１と同様であるので、同一の部分には同一の符号を付して説明を省略する。
【０３０７】
このようにして、本実施の形態１１に係るＬポケット付きボトムズとしてのキュロットスカート４７、タイトスカート４８、タイトスカート４９においては、見栄え・美観を損なうことなく、Ｌポケット２の前中心ＦＣよりの側に延出部３Ｂと収容部３Ａの境界線を位置させてウエストサイズを伸縮自在とすることができる。
【０３０８】
実施の形態１２
次に、本発明の実施の形態１２に係るＬポケット付きボトムズについて、図３６を参照して説明する。図３６（ａ）は本発明の実施の形態１２に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【０３０９】
なお、本実施の形態１２に係るＬポケット付きボトムズとしての綿パン１ＡのＬポケット及びその外縁、並びにウエスト伸縮自在構造の構成は、図１乃至図４に示される実施の形態１に係る綿パン１と同様であるので、同一の部分には同一の符号を付して説明を省略する。図３６に示されるように、本実施の形態１２に係るＬポケット付きボトムズとしての綿パン１Ａが実施の形態１に係る綿パン１と異なるのは、ベルト部３にベルト通し１８が設けられている点である。
【０３１０】
即ち、図３６（ａ）に示されるように、本実施の形態１２に係る綿パン１Ａにおいては、ベルト部３の左右の収容部３Ａと延出部３Ｂの境界に１対のベルト通し１８が縫付けられている。勿論、ベルト通し１８が１対のみでは不自然なので、綿パン１Ａのベルト部３の両脇部及び背面部にも、同様のベルト通し１８が適当な間隔をとって縫付けられている。これによって、収容部３Ａの縁がベルト通し１８によって完全に隠されるので、より見栄え・美観に優れたＬポケット付きボトムズとなる。
【０３１１】
なお、本実施の形態１２においては、実施の形態１に係る綿パン１の収容部３Ａの縁にベルト通し１８を設けた場合について説明したが、実施の形態２乃至実施の形態１０に係るＬポケット付きボトムズとしての綿パン、または実施の形態１１に係るＬポケット付きボトムズとしてのキュロットスカート４７、タイトスカート４８、タイトスカート４９の収容部の縁にベルト通し１８を設けることによっても、同様な作用効果を得ることができる。
【０３１２】
上記各実施の形態においては、Ｌポケット付きボトムズの前部の左右のポケットがいずれもＬポケットである場合について説明したが、左右のポケットのいずれか一方のみがＬポケットで、他方は脇ポケット等の異なるポケットであっても構わない。また、上記各実施の形態においては、主としてＬポケット付きボトムズとして綿パンの例について説明したが、綿パンの一種であるチノパンやジーンズ（Ｇパン）等を始めとするＬポケットを有するボトムズであれば、どのような衣服にも適用することができる。
【０３１３】
また、上記各実施の形態においては、主弾性材としてゴムテープを用いた場合について説明したが、主弾性材としては他にも平ゴム、ゴム製板等の様々な弾性を有する素材を用いることができる。
【０３１４】
本発明を実施するに際しては、Ｌポケット付きボトムズの構造、形状、材質、生地、大きさ、長さ、幅、接続関係等についても、上記各実施の形態に限定されるものではない。
【図面の簡単な説明】
【０３１５】
【図１】図１（ａ）は本発明の実施の形態１に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【図２】図２（ａ），（ｂ），（ｃ），（ｄ），（ｅ），（ｆ）は本発明の実施の形態１に係るＬポケット付きボトムズの左Ｌポケットの外縁の伸縮構造の作製手順を表側から見て示す説明図である。
【図３】図３（ａ）は本発明の実施の形態１に係るＬポケット付きボトムズの要部裏面の縫製途中の構成を示す部品展開図、（ｂ）は縫製が完成した状態を示す部分拡大図である。
【図４】図４は本発明の実施の形態１の第１変形例に係るＬポケット付きボトムズの要部裏面の縫製途中の構成を示す部品展開図である。
【図５】図５（ａ）は本発明の実施の形態１の第１変形例に係るＬポケット付きボトムズのウエストベルト周辺が伸びた場合のＬポケット周辺裏側を示す部分拡大図、（ｂ）は本発明の実施の形態１の第２変形例に係るＬポケット付きボトムズのウエストベルト周辺が伸びた場合のＬポケット周辺裏側を示す部分拡大図である。
【図６】図６（ａ）は本発明の実施の形態１の第３変形例に係るＬポケット付きボトムズの縫製途中の構成を示す部品展開図、（ｂ）は縫製が完了した状態のＬポケット周辺裏側を示す部分拡大図である。
【図７】図７は本発明の実施の形態１の第４変形例に係るＬポケット付きボトムズの縫製途中の構成を示す部品展開図である。
【図８】図８（ａ）は本発明の実施の形態１の第５変形例に係るＬポケット付きボトムズの縫製途中の構成を示す部品展開図、（ｂ）は本発明の実施の形態１の第５変形例に係るＬポケット付きボトムズのウエストベルト周辺が伸びた場合の押え布の変形の様子を部品展開図で示す説明図である。
【図９】図９（ａ），（ｂ），（ｃ）は本発明の実施の形態１の第５変形例に係るＬポケット付きボトムズの押え布のサイズの変形例を示す図、（ｄ）は本発明の実施の形態１の第５変形例に係るＬポケット付きボトムズの押え布のステッチの位置の変化を示す説明図である。
【図１０】図１０（ａ）〜（ｆ）は本発明の実施の形態１の第５変形例に係るＬポケット付きボトムズの押え布のバリエーションを示す説明図である。
【図１１】図１１（ａ）は本発明の実施の形態１の第３変形例に係るＬポケット付きボトムズのウエストベルト周辺が伸びた場合のＬポケット周辺裏側を示す部分拡大図、（ｂ）は本発明の実施の形態１の第６変形例に係るＬポケット付きボトムズの内部構造を裏側から見て示す部分拡大図、（ｃ）は本発明の実施の形態１の第７変形例に係るＬポケット付きボトムズの内部構造を裏側から見て示す部分拡大図である。
【図１２】図１２（ａ），（ｂ）は本発明の実施の形態１の第７変形例に係るＬポケット付きボトムズのストッパーテープのバリエーションを示す説明図である。
【図１３】図１３（ａ）は本発明の実施の形態２に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の実施の形態２の変形例に係る綿パンの左Ｌポケットの外縁の伸縮構造を表側から見て示す説明図である。
【図１４】図１４（ａ）は本発明の実施の形態３に係るＬポケット付きボトムズとしての綿パンの左Ｌポケットとその近傍のウエスト周りが縮んだ状態を示す部分拡大図、（ｂ）はウエスト周りが伸びた状態を示す部分拡大図である。
【図１５】図１５（ａ）は従来のウエスト伸縮機構付きのフォーマルなズボン（スーツのズボン等）における脇ポケットにタックを設けた場合を裏側から見て示す部分拡大図、（ｂ）は脇ポケットにパイピングを設けた場合を裏側から見て示す部分拡大図である。
【図１６】図１６（ａ）は本発明の実施の形態４に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【図１７】図１７（ａ）は本発明の実施の形態４の第１変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【図１８】図１８（ａ）は本発明の実施の形態４の第２変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【図１９】図１９は本発明の実施の形態５に係るＬポケット付きボトムズの要部裏面の縫製途中の構成を示す部品展開図である。
【図２０】図２０は本発明の実施の形態５の変形例に係るＬポケット付きボトムズの要部裏面の縫製途中の構成を示す部品展開図である。
【図２１】図２１は本発明の実施の形態６に係るＬポケット付きボトムズのＬポケット袋布生地の形状を示す説明図である。
【図２２】図２２（ａ）〜（ｄ）は本発明の実施の形態６に係るＬポケット付きボトムズのＬポケット袋布生地の型紙の作り方を示す説明図、（ｅ）はその型紙によって作製したＬポケット袋布生地を示す説明図である。
【図２３】図２３（ａ）〜（ｄ）は本発明の実施の形態６の第１変形例に係るＬポケット付きボトムズのＬポケット袋布生地の型紙の作り方を示す説明図、（ｅ）はその型紙によって作製したＬポケット袋布生地を示す説明図である。
【図２４】図２４（ａ）〜（ｄ）は本発明の実施の形態６の第２変形例に係るＬポケット付きボトムズのＬポケット袋布生地の型紙の作り方を示す説明図、（ｅ）はその型紙によって作製したＬポケット袋布生地を示す説明図である。
【図２５】図２５（ａ）〜（ｄ）は本発明の実施の形態６の第３変形例に係るＬポケット付きボトムズのＬポケット袋布生地の型紙の作り方を示す説明図、（ｅ）はその型紙によって作製したＬポケット袋布生地を示す説明図である。
【図２６】図２６（ａ）〜（ｃ）は本発明の実施の形態６の第４変形例に係るＬポケット付きボトムズのＬポケット袋布生地の型紙の作り方を示す説明図である。
【図２７】図２７（ａ）は本発明の実施の形態７に係るＬポケット付きボトムズの右Ｌポケット近傍を表側から見て示す部分拡大図、（ｂ）は右Ｌポケット近傍を裏側から見て示す部分拡大図である。
【図２８】図２８（ａ）は本発明の実施の形態８に係るＬポケット付きボトムズのＬポケット近傍を表から見て示す部分拡大図、（ｂ）は本発明の実施の形態８の第１変形例に係るＬポケット付きボトムズのＬポケット近傍を表から見て示す部分拡大図、（ｃ）は本発明の実施の形態８の第２変形例に係るＬポケット付きボトムズのＬポケット近傍の構造を展開して示す説明図である。
【図２９】図２９（ａ）は本発明の実施の形態８の第３変形例に係るＬポケット付きボトムズのＬポケット近傍の構造を展開して示す説明図、（ｂ）は本発明の実施の形態８の第４変形例に係るＬポケット付きボトムズのＬポケット近傍の構造を展開して示す説明図である。
【図３０】図３０（ａ）は本発明の実施の形態８の第５変形例に係るＬポケット付きボトムズのＬポケット近傍を表から見て示す部分拡大図、（ｂ）は本発明の実施の形態８の第６変形例に係るＬポケット付きボトムズのＬポケット近傍を表から見て示す部分拡大図である。
【図３１】図３１（ａ）は本発明の実施の形態９に係るＬポケット付きボトムズのＬポケット近傍のベルト部分の内部構造を展開して示す部分展開拡大図、（ｂ）は本発明の実施の形態９に係るＬポケット付きボトムズのＬポケット近傍を表から見て示す部分拡大図、（ｃ）は本発明の実施の形態９に係るＬポケット付きボトムズのＬポケット近傍を表から見て更に拡大して示す部分拡大図である。
【図３２】図３２（ａ）は本発明の実施の形態９の変形例に係るＬポケット付きボトムズのＬポケット近傍のベルト部分の内部構造を展開して示す部分展開拡大図、（ｂ）は本発明の実施の形態９の変形例に係るＬポケット付きボトムズのＬポケット近傍を表から見て示す部分拡大図である。
【図３３】図３３（ａ）は本発明の実施の形態１０に係るＬポケット付きボトムズのＬポケット近傍のベルト部分の内部構造を展開して示す部分展開拡大図、（ｂ）は本発明の実施の形態１０の第１変形例に係るＬポケット付きボトムズのＬポケット近傍のベルト部分の生地の裁断形状を示す部分拡大図、（ｃ）は本発明の実施の形態１０の第１変形例に係るＬポケット付きボトムズのＬポケット近傍のベルト部分の内部構造を展開して示す部分展開拡大図である。
【図３４】図３４（ａ）は本発明の実施の形態１０の第２変形例に係るＬポケット付きボトムズのＬポケット近傍のベルト部分の内部構造を展開して示す部分展開拡大図、（ｂ）は本発明の実施の形態１０の第３変形例に係るＬポケット付きボトムズのＬポケット近傍のベルト部分の生地の裁断形状を示す部分拡大図、（ｃ）は本発明の実施の形態１０の第３変形例に係るＬポケット付きボトムズのＬポケット近傍のベルト部分の内部構造を展開して示す部分展開拡大図である。
【図３５】図３５（ａ）は本発明の実施の形態１１に係るＬポケット付きボトムズの全体構造を示す正面図、（ｂ）は本発明の実施の形態１１の第１変形例に係るＬポケット付きボトムズの全体構造を示す正面図、（ｃ）は本発明の実施の形態８の第２変形例に係るＬポケット付きボトムズの全体構造を示す正面図である。
【図３６】図３６（ａ）は本発明の実施の形態１２に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【図３７】図３７は従来のボトムズにおいて、Ｌポケットの前中心よりの側に延出部と収容部の境界線を位置させた場合の問題点を示す説明図である。
【図３８】図３８も従来のボトムズにおいて、Ｌポケットの前中心よりの側に延出部と収容部の境界線を位置させた場合の問題点を示す説明図である。
【図３９】図３９はＬポケットの一種でありＳ字形のラインを有するポケットを示す説明図である。
【符号の説明】
【０３１６】
１，１Ａ，１Ｂ，１Ｃ，１Ｄ，１Ｅ，１Ｆ，１Ｇ，１Ｈ，２１，３１，４１，４７，４８，４９，６１，６１Ａ，６１Ｂ，７１，７１Ａ，９０Ａ，９０Ｂ，９０Ｃ，９４，９５，１１０Ａ，１１０Ｂ，１１５，１２０，１２０Ａ，１２５，１２５Ａ  Ｌポケット付きボトムズ
２，２２，３２，４２，６２，７２  Ｌポケット
２Ａ，２２Ａ，３２Ａ，４２Ａ，６２Ａ，７２Ａ  外縁
２Ａａ  外縁上部
２Ａｂ  外縁中央部
３  ベルト部
３Ａ，３Ｃ，３Ｅ，２３Ａ，３３Ａ，４３Ａ，６３Ａ，７３Ａ，９１，９１Ａ，９３Ａ，９７，１１２Ａ，１１２Ｂ，１２１  収容部
３Ｂ，３Ｄ，３Ｆ，２３Ｂ，３３Ｂ，４３Ｂ，６３Ｂ，７３Ｂ，９１Ｂ，９２，９３Ｂ，９６，９８，１１１Ａ，１１１Ｂ，１２２，１２３，１２６，１２７  延出部
３Ｃａ，３Ｅａ  ベルトステッチ
４，２４，３４，４４，４７Ａ，４８Ａ，４９Ａ，６４，７４  前身頃
５，２５，４５，６５，７５  袋布
６，２６  地縫い
７，２７  伸縮性を有する生地
１０，８０  主弾性材
１１，８１，１１７  伸び止め材
１２，１２Ａ，８２，８２Ａ  補助弾性材
１６，１６Ａ，１６Ｂ，１６Ｃ，１６Ｄ，１６Ｅ，１６Ｆ，１６Ｈ，１６Ｉ，１６Ｊ，１６Ｋ  押え布
１７，１７Ａ，１７Ｂ，１７Ｃ，１７Ｄ，１７Ｅ，１７Ｆ，１７Ｇ  ストッパーテープ
１８，１１３，１１４  ベルト通し
２２Ｂ  切欠き
３５，３６，３７，３８  Ｌポケット袋布生地
３５ａ，３５ｂ，３５ｃ，３６ａ，３６ｂ，３７ａ，３８ａ，３９ａ，３９ｂ  型紙
６６，６７  タック
６８  分割部分
６９  接ぎ合わせ部分
７５ａ  袋布の折り返し部分
７６  パイピング
９１ａ  ベルトステッチ
１１６  接着布芯
１２２ａ，１２４，１２６ａ，１２８  ストッパー部分
ＦＣ  前中心
【図１】
2008174844.tif 000003
【図２】
2008174844.tif 000004
【図３】
2008174844.tif 000005
【図４】
2008174844.tif 000006
【図５】
2008174844.tif 000007
【図６】
2008174844.tif 000008
【図７】
2008174844.tif 000009
【図８】
2008174844.tif 000010
【図９】
2008174844.tif 000011
【図１０】
2008174844.tif 000012
【図１１】
2008174844.tif 000013
【図１２】
2008174844.tif 000014
【図１３】
2008174844.tif 000015
【図１４】
2008174844.tif 000016
【図１５】
2008174844.tif 000017
【図１６】
2008174844.tif 000018
【図１７】
2008174844.tif 000019
【図１８】
2008174844.tif 000020
【図１９】
2008174844.tif 000021
【図２０】
2008174844.tif 000022
【図２１】
2008174844.tif 000023
【図２２】
2008174844.tif 000024
【図２３】
2008174844.tif 000025
【図２４】
2008174844.tif 000026
【図２５】
2008174844.tif 000027
【図２６】
2008174844.tif 000028
【図２７】
2008174844.tif 000029
【図２８】
2008174844.tif 000030
【図２９】
2008174844.tif 000031
【図３０】
2008174844.tif 000032
【図３１】
2008174844.tif 000033
【図３２】
2008174844.tif 000034
【図３３】
2008174844.tif 000035
【図３４】
2008174844.tif 000036
【図３５】
2008174844.tif 000037
【図３６】
2008174844.tif 000038
【図３７】
2008174844.tif 000039
【図３８】
2008174844.tif 000040
【図３９】
2008174844.tif 000041